(57)【要約】      （修正有）【課題】バイオマス、又は、他の炭素−酸素−水素（Ｃ−Ｏ−Ｈ）化合物、あるいは、化学物質から、炭化水素液体燃料、又は、炭化水素化学物質の製造のためのより直接の方法の提供。【解決手段】無酸化反応を介して、Ｃ−Ｏ−Ｈ化合物が反応するように、少なくとも摂氏８００度の温度に加熱されてよい。いくつかのケースにおいては、無酸化反応を介して生成された炭化水素化合物は、生成され又は冷めるときにおける、炭化水素化合物として、炭化水素エアロゾル形態を含んでよい。いくつかの実施形態は、エアロゾル材料を収集するために、液相における材料を介して炭化水素エアロゾル形態を通すことを含んでよい、エアロゾル捕捉方法、システム、及び装置を備える。【選択図】なし【特許請求の範囲】
【請求項１】
直接の液体炭化水素燃料又は炭化水素化学物質製造の方法であって、
少なくとも液体炭化水素燃料又は炭化水素化学物質のコンポーネントである、少なくとも炭化水素化合物を生成するために、炭素−酸素−水素（Ｃ−Ｏ−Ｈ）化合物が無酸化反応を介して反応するように、前記Ｃ−Ｏ−Ｈ化合物を少なくとも摂氏８００度の温度に加熱するステップ、を含む。
【請求項２】
請求項１の方法であって、前記液体炭化水素燃料は、摂氏２０度の温度のときに液体である。
【請求項３】
請求項１の方法であって、前記無酸化反応は、熱分解反応を含む。
【請求項４】
請求項１の方法であって、前記無酸化反応は、含水熱分解反応を含む。
【請求項５】
請求項１の方法であって、前記液体炭化水素燃料を直接的に蒸留するステップを更に含む。
【請求項６】
請求項１の方法であって、前記無酸化反応を介して生成された前記炭化水素化合物は、前記炭化水素化合物が少なくとも生成され又は冷めるときにおける、炭化水素エアロゾル形態を含む。
【請求項７】
請求項６の方法であって、前記エアロゾル材料を収集するために、液相における材料を介して前記炭化水素エアロゾル形態を通すステップを更に含む。
【請求項８】
請求項７の方法であって、前記液相における前記材料は、炭化水素燃料を含む。
【請求項９】
請求項７の方法であって、前記液相における前記材料を介して前記炭化水素エアロゾル形態を通すステップは、メッシュを介して前記炭化水素エアロゾル形態を通すステップを含む。
【請求項１０】
請求項１の方法であって、前記無酸化反応は、更に、炭化水素エアロゾルを発生する。
【請求項１１】
請求項１０の方法であって、液体燃料を介して前記炭化水素エアロゾルを通すステップを更に含む。
【請求項１２】
請求項１１の方法であって、前記液体燃料を介して前記炭化水素エアロゾルを通すステップは、メッシュを介して前記炭化水素エアロゾルを通すステップを含む。
【請求項１３】
請求項１の方法であって、前記液体炭化水素燃料を少なくとも他の液体燃料と混合するステップを更に含む。
【請求項１４】
請求項１の方法であって、前記Ｃ−Ｏ−Ｈ化合物は、少なくともバイオマスを含む。
【請求項１５】
請求項１の方法であって、前記Ｃ−Ｏ−Ｈ化合物は、少なくとも１秒の滞留時間を有する。
【請求項１６】
請求項１の方法であって、前記無酸化反応は、管状炉の内部で行われる。
【請求項１７】
請求項１６の方法であって、前記管状炉は、少なくとも高ニッケル合金金属を含む材料構成を含む。
【請求項１８】
請求項１６の方法であって、前記管状炉への及びを介して、前記Ｃ−Ｏ−Ｈ化合物を含んでいる材料の連続的な動作をもたらすために、オーガを用いるステップであって、前記Ｃ−Ｏ−Ｈ化合物を含んでいる前記材料が固相内であるステップを更に含む。
【請求項１９】
請求項１の方法であって、前記温度は少なくとも摂氏１１００度である。
【請求項２０】
請求項１１の方法であって、前記液体燃料は、少なくとも、ガソリン、ディーゼル、又は航空燃料を含む。
【請求項２１】
請求項１の方法であって、前記液体炭化水素燃料は、少なくとも１６，０００ＢＴＵ／ｌｂ又は３７，０００ｋＪ／ｋｇのエネルギーコンテンツを有する。
【請求項２２】
請求項１の方法であって、前記Ｃ−Ｏ−Ｈ化合物は、少なくとも水と混合されるＣ−Ｏ−Ｈ化合物を含む。
【請求項２３】
請求項２２の方法であって、前記Ｃ−Ｏ−Ｈ化合物を加熱するステップは、少なくとも前記液体炭化水素燃料又は前記化学物質を生成するために、混合された水と共に前記Ｃ−Ｏ−Ｈ化合物におけるいくつかの水を、前記Ｃ−Ｏ−Ｈ化合物と反応させるステップを含む。
【請求項２４】
請求項１の方法であって、前記Ｃ−Ｏ−Ｈ化合物は、湿ったＣ−Ｏ−Ｈ化合物を含む。
【請求項２５】
請求項２４の方法であって、少なくとも前記液体炭化水素燃料又は前記炭化水素化学物質を生成するために、前記湿ったＣ−Ｏ−Ｈ化合物からの水を前記Ｃ−Ｏ−Ｈ化合物と反応させることを介して、前記湿ったＣ−Ｏ−Ｈ化合物を加熱するステップを更に含む。
【請求項２６】
請求項２５の方法であって、前記湿ったＣ−Ｏ−Ｈ化合物を加熱するステップの前に、前記湿ったＣ−Ｏ−Ｈ化合物を反応チャンバに送るステップを更に含む。
【請求項２７】
請求項１８の方法であって、前記オーガは、少なくとも高ニッケル合金金属を含む構成を備える。
【請求項２８】
請求項１８の方法であって、前記オーガは、少なくとも、複数のブレードの間の単一のピッチ、あるいは、前記複数のブレードの間の多数の異なるピッチを含む。
【請求項２９】
請求項１の方法であって、前記発生された炭化水素化合物を蒸留するステップを更に含む。
【請求項３０】
請求項１の方法であって、前記液体炭化水素燃料を少なくとも他の液体燃料と混合するステップを更に含む。
【請求項３１】
液体炭化水素燃料又は炭化水素化学物質の直接の製造のためのシステムであって、
少なくとも前記液体炭化水素燃料又は前記炭化水素化学物質のコンポーネントである、少なくとも炭化水素化合物を生成するために、炭素−酸素−水素（Ｃ−Ｏ−Ｈ）化合物が無酸化反応を介して反応するように、前記Ｃ−Ｏ−Ｈ化合物を少なくとも摂氏８００度の温度に加熱するために構成された無酸化反応チャンバ、を備える。
【請求項３２】
請求項３１のシステムであって、前記無酸化反応は、熱分解反応を含む。
【請求項３３】
請求項３１のシステムであって、前記液体炭化水素燃料は、摂氏２０度の温度のときに液体である。
【請求項３４】
請求項３１のシステムであって、前記無酸化反応チャンバは、管状炉を備える。
【請求項３５】
請求項３４のシステムであって、前記管状炉は、少なくとも高ニッケル合金金属を含む材料構成を含む。
【請求項３６】
請求項３４のシステムであって、前記管状炉への及びを介して、前記Ｃ−Ｏ−Ｈ化合物を含んでいる材料の連続的な動作をもたらすために構成されたオーガ、を更に備える。
【請求項３７】
請求項３６のシステムであって、前記オーガは、少なくとも高ニッケル合金金属を含む材料構成を含む
【請求項３８】
請求項３６のシステムであって、前記オーガは、複数のブレードの間の多数の異なるピッチを含む。
【請求項３９】
請求項３６のシステムであって、前記オーガは、複数のブレードの間の単一のピッチを含む。
【請求項４０】
請求項３１のシステムであって、前記無酸化反応は、含水熱分解反応を含む。
【請求項４１】
請求項３１のシステムであって、前記無酸化反応によって生成された前記炭化水素化合物は、少なくとも生成又は冷めるときにおける、前記炭化水素化合物のエアロゾル形式を含む。
【請求項４２】
請求項４１のシステムであって、前記エアロゾル形式を収集するために、液体溶媒チャンバの内部に設けられた液相における材料を介して、前記生成された炭化水素化合物の前記エアロゾル形式が通過するように、前記無酸化反応チャンバと組み合わされた前記液体溶媒チャンバを更に備える。
【請求項４３】
請求項４２のシステムであって、液相における前記材料は、炭化水素燃料を含む。
【請求項４４】
請求項４３のシステムであって、前記液体溶媒チャンバの内部に設けられた前記液相における前記材料を介して、前記炭化水素化合物の前記エアロゾル形式を通すことが、また、メッシュを介して前記炭化水素化合物の前記エアロゾル形式を通すことを含むように、前記液体溶媒チャンバの内部に設けられた前記メッシュを更に備える。
【請求項４５】
請求項３１のシステムであって、前記生成された炭化水素化合物を蒸留するために構成された蒸留器を更に備える。
【請求項４６】
請求項３１のシステムであって、前記生成された液体炭化水素燃料を少なくとも他の液体燃料と混合するために構成された混合チャンバを更に備える。
【請求項４７】
請求項３１のシステムであって、前記Ｃ−Ｏ−Ｈ化合物は、少なくともバイオマスを含む。
【請求項４８】
請求項３１のシステムであって、前記Ｃ−Ｏ−Ｈ化合物は、少なくとも１秒の滞留時間を有する。
【請求項４９】
請求項４８のシステムであって、前記滞留時間は、少なくとも１０秒である。
【請求項５０】
請求項４９のシステムであって、前記滞留時間は、少なくとも１００秒である。
【請求項５１】
請求項５０のシステムであって、前記滞留時間は、少なくとも３００秒である。
【請求項５２】
請求項５１のシステムであって、前記滞留時間は、少なくとも１０００秒である。
【請求項５３】
請求項３１のシステムであって、前記温度は、少なくとも摂氏１１００度である。
【請求項５４】
請求項４６のシステムであって、前記他の液体燃料は、少なくとも、ガソリン、ディーゼル、あるいは、航空燃料を含む。
【請求項５５】
請求項３１のシステムであって、前記液体炭化水素燃料は、少なくとも、１６，０００ＢＴＵ／ｌｂ又は３７，０００ｋＪ／ｋｇのエネルギーコンテンツを有する。
【請求項５６】
請求項３１のシステムであって、前記Ｃ−Ｏ−Ｈ化合物は、少なくとも水と混合されたＣ−Ｏ−Ｈ化合物を含む。
【請求項５７】
請求項５６のシステムであって、前記Ｃ−Ｏ−Ｈ化合物を加熱するために構成された前記無酸化反応チャンバは、液体エアロゾル及び水蒸気の状態の一つ又は両方の炭化水素燃料を生成するために、混合された水と共に前記元来のＣ−Ｏ−Ｈ化合物におけるいくつかの水を前記Ｃ−Ｏ−Ｈ化合物と反応させるために構成される。
【請求項５８】
請求項５７のシステムであって、前記湿ったＣ−Ｏ−Ｈ化合物を加熱する前に、前記湿ったＣ−Ｏ−Ｈ化合物を前記無酸化反応チャンバに送るために構成されたコンベヤを更に備える。
【請求項５９】
請求項３１のシステムであって、前記無酸化反応は、更に炭化水素エアロゾルを発生する。
【請求項６０】
請求項５９のシステムであって、前記液体燃料チャンバの内部に設けられた液体燃料を介して前記炭化水素エアロゾルが通過するように、前記無酸化反応チャンバと組み合わされた液体燃料チャンバを更に備える。
【請求項６１】
エアロゾル捕捉の方法であって、
１つ以上の前記エアロゾルのコンポーネントの少なくとも一部を収集するために、バルク液相における材料を介してエアロゾルを通すステップを含む。
【請求項６２】
請求項６１の方法であって、前記収集された前記１つ以上のエアロゾルコンポーネントの一部は、少なくとも、炭化水素化合物を含む。
【請求項６３】
請求項６１の方法であって、前記収集された前記１つ以上のエアロゾルコンポーネントの一部は、少なくとも、液体炭化水素のコンポーネントを含む。
【請求項６４】
請求項６１の方法であって、前記バルク液相における前記材料は、液体炭化水素を含む。
【請求項６５】
請求項６１の方法であって、前記バルク液相における前記材料は、水を含む。
【請求項６６】
請求項６１の方法であって、前記バルク液相における前記材料は、温度制御される。
【請求項６７】
請求項６１の方法であって、前記バルク液相における前記材料は、らせんチューブ構成の内部に設けられる。
【請求項６８】
請求項６１の方法であって、前記バルク液相における前記材料は、オーガの内部に設けられる。
【請求項６９】
請求項６１の方法であって、前記１つ以上の収集されたエアロゾルコンポーネントを蒸留するステップを更に含む。
【請求項７０】
請求項６９の方法であって、前記１つ以上の蒸留された収集されたエアロゾルコンポーネントの全部又は一部と一緒に、前記バルク液相における前記材料を増加させるステップを更に含む。
【請求項７１】
請求項６１の方法であって、前記バルク液相における前記材料を介して前記エアロゾルを通すステップは、前記バルク液相における前記材料の内部に設けられた固相のメッシュを介して前記エアロゾルを通すことを更に含む。
【請求項７２】
請求項６１の方法であって、前記バルク液相における前記材料を介して前記エアロゾルを通すステップは、前記液相における前記材料の内部に設けられた複数のバッフルに関して、前記バルク液相における前記材料を介して前記エアロゾルを通すことを更に含む。
【請求項７３】
請求項７２の方法であって、前記バルク液相における前記材料を介して前記エアロゾルを通すステップは、前記バルク液相における前記材料の内部に設けられた前記複数のバッフルの周囲に設けられた固相材料のメッシュを介して、前記バルク液相における前記材料を介して前記エアロゾルを通すステップを更に含む。
【請求項７４】
請求項６１の方法であって、前記バルク液相における前記材料の残りに関して、水を除去するステップを更に含む。
【請求項７５】
請求項７４の方法であって、前記バルク液相における前記材料の前記残りに関して、水を除去するステップを更に含み、前記水は、前記バルク液相における前記材料の前記残りと混ざらない。
【請求項７６】
請求項７４の方法であって、前記バルク液相における前記材料の前記残りに関して、水を除去するステップを更に含み、前記水は、前記バルク液相における前記材料の前記残りと混ざらずに、当該残りから重量測定で分離可能である。
【請求項７７】
請求項６１の方法であって、前記エアロゾルを生成するステップを更に備える。
【請求項７８】
請求項７７の方法であって、前記エアロゾルは、少なくとも、炭化水素化合物又は液体炭化水素のコンポーネントを含む。
【請求項７９】
請求項７８の方法であって、少なくとも前記炭化水素化合物を含んでいる前記エアロゾル、又は、前記炭化水素の前記コンポーネントは、バイオマスから生成される。
【請求項８０】
請求項６４の方法であって、前記液体炭化水素は、炭化水素燃料を含む。
【請求項８１】
請求項７８の方法であって、前記炭化水素化合物又は前記液体炭化水素の前記コンポーネントは、少なくとも炭化水素燃料を含む。
【請求項８２】
請求項７８の方法であって、前記炭化水素化合物又は前記液体炭化水素の前記コンポーネントは、少なくとも炭化水素化学物質を含む。
【請求項８３】
エアロゾル捕捉のためのシステムであって、
１つ以上のエアロゾルのコンポーネントの少なくとも一部を収集するために、エアロゾル収集チャンバの内部に設けられたバルク液相における材料を介してエアロゾルを通すために構成された前記エアロゾル収集チャンバを備える。
【請求項８４】
請求項８３のシステムであって、前記１つ以上のエアロゾルコンポーネントの前記収集された一部は、少なくとも炭化水素化合物を含む。
【請求項８５】
請求項８３のシステムであって、前記１つ以上のエアロゾルコンポーネントの前記収集された一部は、少なくとも、液体炭化水素のコンポーネントを含む。
【請求項８６】
請求項８３のシステムであって、前記バルク液相における前記材料は、液体炭化水素を含む。
【請求項８７】
請求項８３のシステムであって、前記バルク液相における前記材料は、水を含む。
【請求項８８】
請求項８３のシステムであって、前記バルク液相における前記材料は、温度制御される。
【請求項８９】
請求項８３のシステムであって、前記バルク液相における前記材料を介する流路長を増加するために、前記バルク液相における前記材料を含んでいるらせん構成におけるチューブの１つ以上の長さを更に含む。
【請求項９０】
請求項８３のシステムであって、前記バルク液相における前記材料を介する流路長を増加するために、前記エアロゾル収集チャンバの内部に設けられた１つ以上のオーガを更に備える。
【請求項９１】
請求項８３のシステムであって、前記１つ以上のエアロゾルコンポーネントの前記収集された一部の全部又は一部を蒸留するために、前記エアロゾル収集チャンバと組み合わされた１つ以上の蒸留システムを更に備える。
【請求項９２】
請求項９１のシステムであって、前記１つ以上のエアロゾルコンポーネントの前記蒸留された収集された一部の全部又は一部と一緒に、前記バルク液相における前記材料を増加させるために、前記エアロゾル収集チャンバへの前記１つ以上の蒸留器の１つ以上を組み合わせるために構成された１つ以上のカプラーを更に備える。
【請求項９３】
請求項８３のシステムであって、前記エアロゾルと前記バルク液相における前記材料の間のコンタクトの前記領域を増加するために構成された、前記エアロゾル収集チャンバの内部に設けられた固体材料のメッシュであって、前記エアロゾル及び前記バルク液相における前記材料が通過されるものを更に備える。
【請求項９４】
請求項８３のシステムであって、前記バルク液相における前記材料を介する通路長を増加するために構成された、前記エアロゾル収集チャンバの内部に設けられた複数のバッフルを更に備える。
【請求項９５】
請求項９４のシステムであって、前記エアロゾル及び前記液相における前記材料の間のコンタクトの領域を増加するために構成され、前記エアロゾル及び前記液相における前記材料が通過される、前記エアロゾル収集チャンバの内部の複数のバッフルの周囲に設けられた固体材料のメッシュを更に備える。
【請求項９６】
請求項８３のシステムであって、前記収集チャンバからの水の除去を許可するために、前記エアロゾル収集チャンバと組み合わされた１つ以上のポートを更に備える。
【請求項９７】
請求項８３のシステムであって、前記エアロゾル収集チャンバから、前記１つ以上の収集されたエアロゾルコンポーネントの少なくとも一部の部分の除去を許可するために、前記エアロゾル収集チャンバと組み合わされた１つ以上のポートを更に備える。
【請求項９８】
請求項８３のシステムであって、前記エアロゾル収集チャンバと組み合わされた、１つ以上のエアロゾル生成チャンバを更に備える。
【請求項９９】
請求項９８のシステムであって、前記１つ以上のエアロゾル生成チャンバは、少なくとも炭化水素化合物又は液体炭化水素のコンポーネントを生成するエアロゾル生成チャンバを備える。
【請求項１００】
請求項９９のシステムであって、前記エアロゾルは、少なくとも前記炭化水素化合物又は前記液体炭化水素の前記コンポーネントを含んでおり、バイオマスから生成される。
【請求項１０１】
請求項９９のシステムであって、前記炭化水素化合物又は前記液体炭化水素の前記コンポーネントは、少なくとも炭化水素燃料を含む。
【請求項１０２】
請求項９９のシステムであって、前記炭化水素化合物又は液体炭化水素の前記コンポーネントは、少なくとも炭化水素化合物を含む。
【発明の詳細な説明】
【技術分野】
【０００１】
この発明は、液体炭化水素燃料製造、炭化水素化学物質製造、及びエアロゾル捕捉のための、方法、システム、及び装置に関する。
【背景技術】
【０００２】
異なる方法が、高速熱分解オイルを生成するために、開発されてきた。いくつかのケースでは、オイルは、水素とアップグレートすることにより、液体燃料に転換されてよい。バイオマスは、また、いくつかのケースでは、高速熱分解オイルを生成するために、利用されてよい。
【０００３】
様々な技術は、バイオマス、又は、他の炭素−酸素−水素（Ｃ−Ｏ−Ｈ）化合物、あるいは、化学物質から、液体燃料を生成するために存在してよく、Ｃ−Ｏ−Ｈ化合物からの、炭化水素液体燃料、又は、炭化水素化学物質の生成のためのより直接の方法を提供し得る、代替の技術の開発のための一般的なニーズが未だ存在し得る。
【０００４】
また、異なる方法は、エアロゾルを捕捉するために、開発されてきた。これらの方法は、例えば、異なる、慣性の、重力の、静電の、及び／又は、拡散の技術を含んでよい。様々な技術は、エアロゾルを捕捉するために存在してよく、炭化水素エアロゾルを含んでいる、エアロゾルを捕捉するために利用され得る、代替の及び／又は改良された技術の開発のための一般的なニーズが未だ存在し得る。
【発明の概要】
【課題を解決するための手段】
【０００５】
液体炭化水素燃料製造、炭化水素化学物質製造、及び／又はエアロゾル捕捉のための、方法、システム、及び装置が提供される。例えば、方法、システム、及び装置が提供され、例えば、バイオマスあるいは固形廃棄物のような、Ｃ−Ｏ−Ｈ化合物からの炭化水素のレンジを生成するために、高温熱分解プロセスを用いてよい。別の実施形態において生成された炭化水素のレンジは、いくつかの液体燃料を含む化合物を含んでよい。これらの液体燃料は、ガソリン、ディーゼル、及び／又は航空燃料を含んでよいが、これに限定されない。実施形態は、大部分の高速熱分解プロセスからの典型的なバイオオイルよりも高いエネルギーコンテンツを有し得る液体炭化水素を生成してよい。
【０００６】
いくつかの例において、直接の液体炭化水素燃料製造、及び／又は、炭化水素化学物質製造のための、方法、システム、及び装置は提供される。例えば、炭素−酸素−水素（Ｃ−Ｏ−Ｈ）化合物（あるいは、Ｃ−Ｏ−Ｈ化合物を含んでいる材料）は、少なくとも液体炭化水素燃料又は炭化水素化学物質のコンポーネントであって、少なくとも炭化水素化合物を発生又は生成するために、無酸化反応を介してＣ−Ｏ−Ｈ化合物が反応し得るように、少なくとも摂氏８００度の温度に加熱されてよい。いくつかのケースにおいて、液体炭化水素燃料は、摂氏２０度の温度のときに、液体であってよい。無酸化反応は、いくつかのケースにおいて含水熱分解反応であってよい、熱分解反応を含んでよい。いくつかの実施形態は、液体炭化水素燃料を直接蒸留することを含んでよい。Ｃ−Ｏ−Ｈ化合物は、バイオマスを含んでよい。
【０００７】
いくつかのケースにおいては、無酸化反応を介して生成された炭化水素化合物は、少なくとも生成され又は冷めるときにおける、炭化水素化合物（あるいは、炭化水素化合物のエアロゾル形式）として、炭化水素エアロゾル形態を含む。いくつかの実施形態は、エアロゾル材料を収集するために、液相における材料を介して、炭化水素エアロゾル形態を通すことを含んでよい。液相における材料は、炭化水素燃料を含んでよい。液相における材料を介して炭化水素エアロゾルを通すことは、また、液相における材料の内部に設けられてよい、メッシュを介して炭化水素エアロゾル形態を通すことを含む。
【０００８】
いくつかの実施形態は、管状炉を含んでよい無酸化反応チャンバを用いてよい。管状炉は、少なくとも高ニッケル合金金属を含み得る材料構成を備えてよい。いくつかの実施形態は、管状炉への及びを介して、Ｃ−Ｏ−Ｈ化合物を含んでいる材料の連続的な動作をもたらすためにオーガを用いてよい。Ｃ−Ｏ−Ｈ化合物を含んでいる材料は、いくつかのケースにおいては固相内であってよい。オーガは、少なくとも高ニッケル合金金属を含み得る材料構成を備えてよい。いくつかの実施形態においては、いくつかの実施形態が、単一で一様のブレードピッチを用いてよいが、オーガは、多数のブレードの間の多数の異なるピッチを備えてよい。
【０００９】
いくつかの実施形態は、生成された液体炭化水素燃料、及び／又は、炭化水素化学物質を収集するために、液体溶媒チャンバを用いてよい。いくつかの実施形態は、炭化水素がガスの状態から濃縮されたときに、生成された液体炭化水素又は炭化水素化学物質を収集してよい。いくつかの実施形態は、液体溶媒チャンバを介して、無酸化反応チャンバにおいて生成されてよい熱分解ガスを管理してよい。いくつかの実施形態は、チャンバを介して通すガスの泡のサイズを減少するために、液体溶媒チャンバを介して通すガスを分散してよい。いくつかの実施形態は、ガスが溶媒と接触する時間の長さを制御するために、液体溶媒チャンバを介する曲がりくねった流路を介して分散したガスを押し出してよい。いくつかの実施形態は、例えば、熱又は電気を生成するために、ガス状の燃料として、生成された炭化水素液体の除去の後に、ガスの残りを用いてよい。いくつかの実施形態は、熱を生成するために、ガス状の燃料として、生成された炭化水素液体の除去の後に、ガスの残りを用いてよい。いくつかの実施形態は、生成されえた炭化水素液体の除去の後に、ガスの残りを捕捉してよい。
【００１０】
いくつかの実施形態は、少なくとも液体炭化水素燃料又は炭化水素化学物質のコンポーネントである、少なくとも炭化水素化合物を、発生及び／又は生成するために、炭素−酸素−水素（Ｃ−Ｏ−Ｈ）化合物が無酸化反応を介して反応するように、Ｃ−Ｏ−Ｈ化合物を少なくとも摂氏８００度の温度に加熱することを含んでよい、直接の液体炭化水素燃料及び／又は炭化水素化学物質製造の方法を含む。いくつかの実施形態においては、液体炭化水素燃料は、摂氏２０度の温度のときに、液体である。方法のいくつかの実施形態においては、無酸化反応は、熱分解反応を含む。無酸化反応は、含水熱分解反応を含んでよい。
【００１１】
方法のいくつかの実施形態においては、無酸化反応は、管状炉の内部で行われてよい。管状炉は、少なくとも高ニッケル合金金属を含み得る材料構成を含んでよい。いくつかの実施形態は、管状炉への及びを介して、Ｃ−Ｏ−Ｈ化合物を含んでいる材料の連続的な動作をもたらすために、オーガを用いることであって、Ｃ−Ｏ−Ｈ化合物を含んでいる材料が固相内であることを含んでよい。いくつかの実施形態においては、オーガは、少なくとも高ニッケル合金金属を含む構成を含んでよい。オーガは、いくつかのケースにおいては、多数のブレードの間の多数の異なるピッチを含んでよい。オーガは、いくつかのケースにおいて、多数のブレードの間の単一のピッチを含んでよい。
【００１２】
いくつかの実施形態においては、方法は、生成又は発生された液体炭化水素燃料又は炭化水素化合物を、直接蒸留すること更に含んでよい。方法のいくつかの実施形態においては、無酸化反応を介して生成された炭化水素化合物は、少なくとも生成され又は冷まされるときに、炭化水素化合物として、炭化水素エアロゾル形態を含む。いくつかの実施形態は、エアロゾル材料を収集するために、液相における材料を介して炭化水素エアロゾル形態を通すことを更に含む。液相における材料は、炭化水素燃料を含んでよい。液相における材料を介して炭化水素エアロゾルを通すことは、メッシュを介して炭化水素エアロゾル形態を通すことを含んでよい。
【００１３】
方法のいくつかの実施形態においては、無酸化反応は、更に、炭化水素エアロゾルを発生する。いくつかの実施形態は、液体燃料を介して炭化水素エアロゾルを通すことを含む。液体燃料を介して炭化水素エアロゾルを通すことは、メッシュを介して、炭化水素エアロゾルを通すことを含んでよい。
【００１４】
いくつかの実施形態においては、方法は、液体炭化水素燃料又は生成された炭化水素化合物を、少なくとも他の液体燃料と混合することを、更に含んでよい。方法のいくつかの実施形態においては、Ｃ−Ｏ−Ｈ化合物は、少なくともバイオマスを含む。
【００１５】
方法のいくつかの実施形態においては、Ｃ−Ｏ−Ｈ化合物は、無酸化反応チャンバの内部で、少なくとも１秒の滞留時間を有する。滞留時間は、少なくとも１０秒、１００秒、少なくとも３００秒、少なくとも１０００秒であってよい。いくつかの実施形態においては、温度は、少なくとも、摂氏９００度又は摂氏１１００度である。いくつかの実施形態においては、少なくとも液体燃料、あるいは、液体炭化水素燃料は、少なくとも、ガソリン、ディーゼル、又は航空燃料を含む。液体炭化水素燃料は、少なくとも、１６，０００ＢＴＵ／ｌｂ又は３７，０００ｋＪ／ｋｇのエネルギーコンテンツを有してよい。
【００１６】
方法のいくつかの実施形態においては、Ｃ−Ｏ−Ｈ化合物は、少なくとも水と混合されたＣ−Ｏ−Ｈ化合物を含む。Ｃ−Ｏ−Ｈ化合物を加熱することは、少なくとも液体エアロゾル状態又は水蒸気状態内であってよい、少なくとも液体炭化水素燃料又は炭化水素化学物質を発生又は生成するために、元来のＣ−Ｏ−Ｈ化合物におけるいくつかの水と共に混合された水を、Ｃ−Ｏ−Ｈ化合物と反応させること含んでよい。いくつかの実施形態は、湿ったＣ−Ｏ−Ｈ化合物を加熱する前に、反応チャンバに湿ったＣ−Ｏ−Ｈ化合物を送ることを含む。
【００１７】
いくつかの実施形態は、液体炭化水素燃料製造又は炭化水素化学物質製造のためのシステムを備え、当該システムは、少なくとも液体炭化水素燃料又は炭化水素化学物質のコンポーネントである、少なくとも炭化水素化合物を生成するために、炭素−酸素−水素（Ｃ−Ｏ−Ｈ）化合物が無酸化反応を介して反応するように、Ｃ−Ｏ−Ｈ化合物を少なくとも摂氏８００度の温度に加熱するために構成された無酸化反応チャンバを備えてよい。液体炭化水素燃料は、摂氏２０度の温度のときに液体であってよい。
【００１８】
システムのいくつかの実施形態においては、無酸化反応は、熱分解反応を含む。無酸化反応は、含水熱分解反応を含んでよい。いくつかの実施形態においては、システムは、液体炭化水素燃料又は生成された炭化水素化合物を、直接蒸留するために構成された蒸留器を備える。
【００１９】
システムのいくつかの実施形態においては、無酸化反応チャンバは、管状炉を備えてよい。管状炉は、少なくとも高ニッケル合金金属を含み得る材料構成を含んでよい。例えば、高ニッケル合金鋼は、いくつかのケースにおいて用いられてよい。システムのいくつかの実施形態は、管状炉への及びを介して、Ｃ−Ｏ−Ｈ化合物を含んでいる材料の連続的な動作をもたらすために構成されたオーガを備えてよい。オーガは、少なくとも高ニッケル合金金属を含み得る材料構成を含んでよい。オーガは、いくつかのケースにおいては、多数のブレードの間の多数の異なるピッチを備えてよい。オーガは、いくつかのケースにおいては、多数のブレードの間の単一のピッチを含んでよい。
【００２０】
システムのいくつかの実施形態においては、無酸化反応を介して生成された炭化水素化合物は、少なくとも生成され又は冷まされるときに、炭化水素化合物又は炭化水素化合物エアロゾルの形式として、炭化水素エアロゾル形態を含んでよい。いくつかの実施形態は、エアロゾル材料を収集するために、液体燃料又は溶媒チャンバの内部に設けられた液相における材料を介して、炭化水素エアロゾル形態又は炭化水素化合物のエアロゾル形式が通過するように、無酸化反応チャンバと組み合わされた液体燃料又は溶媒チャンバを、更に備えてよい。液相における材料は、炭化水素燃料を含んでよい。いくつかの実施形態は、液体燃料又は溶媒チャンバの内部に設けられた液相における材料を介して炭化水素エアロゾルを通すことが、メッシュを介して、炭化水素エアロゾル形態又は炭化水素化合物のエアロゾル形式を通すことを含むように、液体燃料又は溶媒チャンバの内部に設けられたメッシュ、を更に備える。
【００２１】
システムのいくつかの実施形態においては、無酸化反応は、更に、炭化水素エアロゾルを発生する。いくつかの実施形態は、液体燃料チャンバの内部に設けられた液体燃料を介して、炭化水素エアロゾルが通過するように、無酸化反応チャンバと組み合わされる液体燃料チャンバを備えてよい。いくつかの実施形態は、液体燃料を介して炭化水素エアロゾルを通すことが、メッシュを介して炭化水素エアロゾルを介して通すことを含むように、液体燃料チャンバの内部に設けられたメッシュを含む。
【００２２】
いくつかの実施形態においては、システムは、液体炭化水素燃料を少なくとも他の液体燃料と混合するために構成されてよい。例えば、システムのいくつかの実施形態は、生成された液体炭化水素燃料を少なくとも他の液体燃料と混合するために構成された混合チャンバを含んでよい。
【００２３】
システムのいくつかの実施形態においては、Ｃ−Ｏ−Ｈ化合物は、少なくともバイオマスを含む。システムのいくつかの実施形態においては、Ｃ−Ｏ−Ｈ化合物は、少なくとも１秒、少なくとも１０秒、少なくとも１００秒、少なくとも３００秒、又は少なくとも１０００秒の滞留時間を有する。いくつかの実施形態においては、温度は、少なくとの摂氏９００度又は摂氏１１００度である。
【００２４】
システムのいくつかの実施形態においては、液体燃料、あるいは、炭化水素燃料は、少なくとも、ガソリン、ディーゼル、又は航空燃料を含む。いくつかの実施形態においては、液体炭化水素燃料は、少なくとも、１６，０００ＢＴＵ／ｌｂ又は３７，０００ｋＪ／ｋｇのエネルギーコンテンツを有する。
【００２５】
システムのいくつかの実施形態においては、Ｃ−Ｏ−Ｈ化合物は、少なくとも水と混合されたＣ−Ｏ−Ｈ化合物を含む。Ｃ−Ｏ−Ｈ化合物を加熱することは、少なくとも液体エアロゾル状態又は水蒸気状態における炭化水素燃料を生成するために、元来のＣ−Ｏ−Ｈ化合物におけるいくつかの水と共に混合された水を、Ｃ−Ｏ−Ｈ化合物と反応させること含んでよい。
【００２６】
システムのいくつかの実施形態においては、Ｃ−Ｏ−Ｈ化合物は、例えば少なくとも水と混合されたＣ−Ｏ−Ｈ化合物のような、湿ったＣ−Ｏ−Ｈ化合物を含む。例えば、無酸化反応チャンバは、液体炭化水素燃料を生成するために、湿ったＣ−Ｏ−Ｈ化合物を備えている水を、Ｃ−Ｏ−Ｈ化合物と反応させることを介して、Ｃ−Ｏ−Ｈ化合物を加熱するために構成されてよい。
【００２７】
いくつかの実施形態においては、システムは、湿ったＣ−Ｏ−Ｈ化合物の加熱の前に、Ｃ−Ｏ−Ｈ化合物を反応チャンバに送るために構成されたコンベヤシステムを備えてよい。無酸化反応チャンバは、液体エアロゾル及び水蒸気の状態の一つ又は両方の炭化水素燃料を生成するために、混合された水と共に元来のＣ−Ｏ−Ｈ化合物におけるいくつかの水を、Ｃ−Ｏ−Ｈ化合物と反応させるために構成されるＣ−Ｏ−Ｈ化合物を加熱するために構成されてよい。システムのいくつかの実施形態は、湿ったＣ−Ｏ−Ｈ化合物を加熱する前に、湿ったＣ−Ｏ−Ｈ化合物を無酸化反応チャンバにおくるために構成されたコンベヤを備えてよい。
【００２８】
方法、システム、及び装置は、例えば液体炭化水素エアロゾル捕捉のような、エアロゾル捕捉のために提供される。いくつかの例は、１つ以上のエアロゾルのコンポーネントの少なくとも一部を収集するために、エアロゾル収集チャンバの内部に設けられたバルク液相における材料を介して、エアロゾルを通すために構成されてよい、エアロゾル収集チャンバを用いてよい。エアロゾル収集チャンバの異なる構成は、更に、例えば、バルク液相材料を介する通路長を増加すること、及び／又は、エアロゾルとバルク液相材料との間のコンタクトの領域を増加することを介して、１つ以上のエアロゾルのコンポーネントのいくつか又は全部を収集することを促進してよい。いくつかの例は、また、エアロゾルの製造、及び／又は、収集されたエアロゾルの蒸留を含んでよい。蒸留されたエアロゾルは、いくつかのケースにおいて、液相を増加させるために用いられてよい。
【００２９】
いくつかの実施形態は、１つ以上のエアロゾルのコンポーネントの少なくとも一部を収集するために、バルク液相における材料を介して、エアロゾルを通すことを含み得る、エアロゾル捕捉の方法を含む。１つ以上のエアロゾルコンポーネントの収集された一部は、少なくとも炭化水素化合物を含んでよい。いくつかの実施形態においては、１つ以上のエアロゾルコンポーネントの収集された一部は、少なくとも液体炭化水素のコンポーネントを含む。いくつかの実施形態においては、バルク液相における材料は、炭化水素燃料を含み得る、液体炭化水素を含んでよい。いくつかの実施形態においては、バルク液相における材料は、水を含んでよい。
【００３０】
方法のいくつかの実施形態においては、バルク液相における材料は、温度制御されてよい。バルク液相における材料は、いくつかのケースにおいては、らせんチューブ構成の内部に設けられてよい。バルク液相における材料は、オーガの内部に設けられてよい。
【００３１】
方法のいくつかの実施形態は、１つ以上の収集されたエアロゾルコンポーネントを蒸留することを含んでよい。いくつかの実施形態は、１つ以上の蒸留された収集されたエアロゾルコンポーネントの全部又は一部と一緒に、バルク液相における材料を増加させることを含んでよい。
【００３２】
方法のいくつかの実施形態においては、バルク液相における材料を介してエアロゾルを通すことは、バルク液相における材料の内部に設けられた固相のメッシュを介してエアロゾルを通すことを含んでよい。いくつかの実施形態においては、バルク液相における材料を介してエアロゾルを通すことは、バルク液相における材料の内部に設けられた多数のバッフルに関して、バルク液相における材料を介してエアロゾルを通すことを、更に含んでよい。バルク液相における材料を介してエアロゾルを通すことは、バルク液相における材料の内部に設けられた多数のバッフルの周囲に設けられた固体材料のメッシュを介して、バルク液相における材料を介してエアロゾルを通すことを含んでよい。
【００３３】
方法のいくつかの実施形態は、バルク液相における材料の残りに関して、水を除去することを含んでよい。いくつかのケースにおいて、バルク液相における材料の残りに関して、水を除去することは、バルク液相における材料の残りと混ざらなくてよい水を除去することを含む。いくつかのケースにおいて、バルク液相における材料の残りに関して、水を除去することは、バルク液相における材料の残りと混ざらなくてよく、残りから重量測定で分離可能であってよい水を除去することを含む。
【００３４】
方法のいくつかの実施形態は、エアロゾルを生成することを含む。エアロゾルは、少なくとも、炭化水素化合物又は液体炭化水素のコンポーネントを含んでよい。エアロゾルは、少なくとも、バイオマスから生成されてよい、炭化水素化合物又は液体炭化水素のコンポーネントを含んでよい。いくつかの実施形態においては、炭化水素化合物、又は、液体炭化水素のコンポーネントは、少なくとも、炭化水素燃料又は炭化水素化学物質を含む。
【００３５】
いくつかの実施形態は、１つ以上のエアロゾルコンポーネントの少なくとも一部を収集するために、エアロゾル収集チャンバの内部に設けられた、バルク液相における材料を介して、エアロゾルを通すために構成された、エアロゾル収集チャンバを備え得る、エアロゾル捕捉のためのシステムを含む。いくつかの実施形態においては、１つ以上のエアロゾルコンポーネントの収集された一部は、少なくとも、炭化水素化合物を含む。１つ以上のエアロゾルコンポーネントの収集された一部は、少なくとも液体炭化水素のコンポーネントを含んでよい。バルク液相における材料は、液体炭化水素を含んでよい。バルク液相における材料は、水を含んでよい。バルク液相における材料は、温度制御されてよい。
【００３６】
システムのいくつかの実施形態は、バルク液相における材料を介する通路長を増加するために、バルク液相における材料を含んでいるらせん構成におけるチューブの１つ以上の長さを含む。システムのいくつかの実施形態は、バルク液相における材料を介する通路長を増加するために、エアロゾル収集チャンバの内部に設けられた１つ以上のオーガを備える。システムのいくつかの実施形態は、１つ以上のエアロゾルコンポーネントの収集された一部の全部又は一部を蒸留するために、エアロゾル収集チャンバと組み合わされた１つ以上の蒸留システムを備える。システムのいくつかの実施形態は、１つ以上のエアロゾルコンポーネントの蒸留された収集された一部の全部又は一部と一緒に、バルク液相における材料を増加させるために、エアロゾル収集チャンバに１つ以上の蒸留器の１つ以上を組み合わせるために構成された、１つ以上のカプラーを備えてよい。
【００３７】
システムのいくつかの実施形態は、エアロゾルとバルク液相における材料の間のコンタクトの領域を増加するために構成された、エアロゾル収集チャンバの内部に設けられた固体材料のメッシュであって、エアロゾル及びバルク液相における材料が通過されるものを備える。システムのいくつかの実施形態は、バルク液相における材料を介する通路長を増加するために構成された、エアロゾル収集チャンバの内部に設けられた多数のバッフルを備える。システムのいくつかの実施形態は、エアロゾル及び液相における材料の間のコンタクトの領域を増加するために構成され、エアロゾル及び液相における材料が通過される、エアロゾル収集チャンバの内部の多数のバッフルの周囲に設けられた固体材料のメッシュを備える。
【００３８】
システムのいくつかの実施形態は、エアロゾル収集チャンバから、１つ以上の収集されたエアロゾルコンポーネント又は水の少なくとも一部の部分の除去を許可するために、エアロゾル収集チャンバと組み合わされた１つ以上のポートを含む。システムのいくつかの実施形態は、エアロゾル収集チャンバから、１つ以上の収集されたエアロゾルコンポーネントの少なくとも一部の部分の除去を許可するために、エアロゾル収集チャンバと組み合わされた１つ以上のポートを備える。
【００３９】
システムのいくつかの実施形態は、エアロゾル収集チャンバと組み合わされた１つ以上のエアロゾル生成チャンバを備える。１つ以上のエアロゾル生成チャンバは、いくつかのケースにいては、少なくとも炭化水素化合物又は液体炭化水素のコンポーネントを生成するエアロゾル生成チャンバを含んでよい。エアロゾルは、いくつかのケースにおいては、少なくとも、バイオマスから生成され得る、炭化水素化合物又は液体炭化水素のコンポーネントを含んでよい。
【００４０】
いくつかの実施形態は、詳細な記述に記載されており、及び／又は、図面において示されているような、方法、システム、及び／又は装置を含む。
【００４１】
以上では、以下の詳細な説明がより良く理解され得るように、本開示に係る実施例の特徴及び技術的利点をやや広範に概説してきた。以下では、更なる特徴及び利点を説明する。開示された概念及び特定例は、変更を加えて又は他の構造を設計して本開示の同一の目的の遂行に供する基礎として容易に利用され得る。そのような等価な構成は、添付の特許請求の趣旨及び範囲から逸脱しない。本明細書に開示される概念に特有であると考えられる特徴は、付随する利点と共に、その構成及び操作方法の両方に関して、添付の図面を参照して検討すれば、以下の説明からより良く理解されるであろう。図面の其々は、例示及び説明の目的で提供されているにすぎず、特許請求の範囲を規定するものとして提供されている訳ではない。
【００４２】
異なる実施形態の性質及び利点の更なる理解は、以下の図面を参照することにより達成され得る。添付の図面では、類似のコンポーネント又は特徴は、同一の参照ラベルを有し得る。更に、同一のタイプの種々のコンポーネントは、ダッシュによる参照ラベル及び類似のコンポーネントを識別する第２の標識に従って識別され得る。本明細書で第１の参照ラベルのみが使用されている場合、その記述は、第２の参照ラベルに拘らず同一の第１の参照ラベルを有する類似のコンポーネントの何れか１つに適用可能である。
【図面の簡単な説明】
【００４３】
【図１Ａ】様々な実施形態に係る、炭化水素液体燃料又は炭化水素化学物質の製造システムを示す図である。
【図１Ｂ】様々な実施形態に係る、炭化水素液体燃料又は炭化水素化学物質の製造システムを示す図である。
【図１Ｃ】様々な実施形態に係る、炭化水素液体燃料又は炭化水素化学物質の製造システムを示す図である。
【図１Ｄ】様々な実施形態に係る、炭化水素液体燃料又は炭化水素化学物質の製造システムを示す図である。
【図１Ｅ】様々な実施形態に係る、炭化水素液体燃料又は炭化水素化学物質の製造システムを示す図である。
【図２Ａ】様々な実施形態に係る、Ｃ−Ｏ−Ｈ化合物の炭化水素化合物への転換のためのシステムの模式図である。
【図２Ｂ】様々な実施形態に係る、Ｃ−Ｏ−Ｈ化合物の炭化水素化合物への転換のためのシステムの模式図である。
【図３Ａ】様々な実施形態に係る、エアロゾル捕捉システムを示す図である。
【図３Ｂ】様々な実施形態に係る、エアロゾル捕捉システムを示す図である。
【図３Ｃ】様々な実施形態に係る、エアロゾル捕捉システムを示す図である。
【図４Ａ】様々な実施形態に係る、エアロゾル捕捉システムを示す図である。
【図４Ｂ】様々な実施形態に係る、エアロゾル捕捉システムを示す図である。
【図４Ｃ】様々な実施形態に係る、エアロゾル捕捉システムを示す図である。
【図４Ｄ】様々な実施形態に係る、エアロゾル捕捉システムを示す図である。
【図４Ｅ】様々な実施形態に係る、エアロゾル捕捉システムを示す図である。
【図５Ａ】様々な実施形態に係る、炭化水素液体燃料又は炭化水素化学物質の製造のための方法のフロー図である。
【図５Ｂ】様々な実施形態に係る、炭化水素液体燃料又は炭化水素化学物質の製造のための方法のフロー図である。
【図５Ｃ】様々な実施形態に係る、炭化水素液体燃料又は炭化水素化学物質の製造のための方法のフロー図である。
【図５Ｄ】様々な実施形態に係る、炭化水素液体燃料又は炭化水素化学物質の製造のための方法のフロー図である。
【図５Ｅ】様々な実施形態に係る、炭化水素液体燃料又は炭化水素化学物質の製造のための方法のフロー図である。
【図５Ｆ】様々な実施形態に係る、炭化水素液体燃料又は炭化水素化学物質の製造のための方法のフロー図である。
【図６Ａ】様々な実施形態に係る、エアロゾルの捕捉のための方法のフロー図である。
【図６Ｂ】様々な実施形態に係る、エアロゾルの捕捉のための方法のフロー図である。
【発明を実施するための形態】
【００４４】
以下の説明は、例示的実施形態を提供するにすぎず、本開示の範囲、適用性、又は構成を限定することを意図したものではない。もっと正確に言えば、例示的実施形態の以下の説明は、１つ以上の例示的実施形態の実現を可能する説明を当業者に提供するものであり、添付の特許請求の範囲に示される本発明の趣旨及び範囲から逸脱することなく要素の機能及び配置に種々の変更を加え得るものと見做される。幾つかの実施形態が本明細書に記載されており、種々の特徴が異なる実施形態に割り当てられているが、１つの実施形態に対して記載された特徴は、同様に他の実施形態にも組み込まれ得るものと認識すべきである。然しながら、同じ理由で、他の実施形態がそのような特徴を省略し得るので、任意の記載の実施形態の単一又は複数の特徴は、全ての実施形態に必須であるものと考えるべきではない。
【００４５】
実施形態の十分な理解を提供する為に、特定の詳細事項が以下の説明に与えられている。しかしながら、これらの特定の詳細事項無しで実施形態を実施し得ることは、当業者であれば分かるであろう。例えば、不要な詳細事項で実施形態を不明瞭にしないように、幾つかの実施形態のシステム、ネットワーク、プロセス、及び他の構成要素をブロック図の形態で成分として示し得る。他の場合には、実施形態を不明瞭にすることがないように、周知のプロセス、構造、及び技術を不要な詳細事項無しで示し得る。
【００４６】
また、個々の実施形態が、フローチャート、フロー図、構造図、又はブロック図として表され得るプロセスとして記述され得ることに留意されたい。フローチャートにより操作を逐次プロセスとして記述し得るが、操作の多くは、併行して又は同時に行うことが可能である。それに加えて、操作の順序は、再編成され得る。プロセスは、その操作が終了した時に終了し得るが、考察されていない又は図に含まれていない追加の操作も含み得る。更に、任意の特定的に記載されたプロセスの全ての操作が全ての実施形態で実施可能であるとは限らない。プロセスは、方法、関数、手順、サブルーチン、サブプログラム等に相当し得る。プロセスが関数に対応する場合、その終了は、呼出し関数又はメイン関数への関数の戻りに対応する。
【００４７】
更に、実施形態は、少なくとも部分的には、手動的又は自動的の何れかで実現され得る。手動的又は自動的な実現は、機械、ハードウェア、ソフトウェア、ファームウェア、ミドルウェア、マイクロコード、ハードウェア記述言語、又はそれらの任意の組合せの使用により実施され得るか又は少なくとも支援され得る。ソフトウェア、ファームウェア、ミドルウェア、又はマイクロコードで実現する場合、必要なタスクを行うプログラムコード又はコードセグメントは、機械可読媒体に記憶され得る。プロセッサーは、必要なタスクを行い得る。
【００４８】
液体炭化水素燃料製造、炭化水素化学物質製造、及び／又はエアロゾル捕捉のための、方法、システム、及び装置が提供される。例えば、方法、システム、及び装置は提供され、例えば、バイオマス、あるいは、バイオマス又は固形廃棄物としてのこのような材料に包含されているような、Ｃ−Ｏ−Ｈ化合物からの炭化水素のレンジを生成するために、高温熱分解プロセスを用いてよい。別の実施形態において生成された炭化水素のレンジは、いくつかの液体燃料又は炭化水素化学物質を含みうる化合物を含んでよい。液体燃料は、ガソリン、ディーゼル、及び／又は、航空燃料を含んでよいが、これらに限定されない。実施形態は、大部分の高速熱分解プロセスからの典型的なバイオオイルよりも高いエネルギーコンテンツを有してよい液体炭化水素を生成してよい。
【００４９】
いくつかの実施形態は、例えば、バイオマスにおいて見出し得る、セルロース、リグニン、及び／又はヘミセルロース等の、Ｃ−Ｏ−Ｈ化合物を用いてよい。多数のバイオマス供給原料は、セルロース、リグニン、ヘミセルロース、及び／又はそれらのコンポーネント材料の微量ミネラルの、１つ以上の混合物を有してよい。いくつかの実施形態は、例えば、紙屑、多種多様なタイプの木のおがくず、ボール紙、干し草、わら、スイッチグラス、公共固形廃棄物、衛生的な屑、模擬核廃棄物、解体及び建築の廃材等の、他のＣ−Ｏ−Ｈ化合物を含む供給原料を用いてよく、これらの様々な供給原料は、一般的に、産業廃棄物として参照されてよい。一般的に、Ｃ−Ｏ−Ｈ化合物を含み得る材料は、別の実施形態において利用されてよい。
【００５０】
様々な実施形態に係る、直接の液体炭化水素燃料製造又は炭化水素化学物質製造のためのシステム１００−ａの外観は、図１Ａにて提供される。システム１００−ａは、無酸化反応チャンバ１１０を備えてよい。示される特定のコンポーネントは、単に例示されるために意図される。いくつかの実施形態は、必ずしも示されていない、用いられ得る、他のコンポーネントを備えてよい。これらの変形例のすべてではないが、いくつかは、下記に記載されてよい。
【００５１】
いくつかの実施形態においては、無酸化反応チャンバ１１０は、少なくとも液体炭化水素燃料又は炭化水素化学物質のコンポーネントであってよい、少なくとも炭化水素化合物を発生又は生成するために、無酸化反応を介してＣ−Ｏ−Ｈ化合物が反応するように、少なくとも摂氏８００度の温度に炭素−酸素−水素（Ｃ−Ｏ−Ｈ）化合物を加熱するために用いられてよい。いくつかのケースでは、液体炭化水素燃料は、摂氏２０度の温度のときに、液体であってよい。無酸化反応は、熱分解反応を含んでよい。無酸化反応は、含水熱分解反応を含んでよい。システム１００−ａのいくつかの実施形態は、液体炭化水素燃料を蒸留するために構成されてよく、いくつかのケースでは、直接的に行われてよい。
【００５２】
システム１００−ａのいくつかの実施形態においては、無酸化反応チャンバ１００は、管状炉を備えてよい。管状炉は、例えば高ニッケル合金鋼のような、少なくとも高ニッケル合金金属を含み得る材料構成を含んでよい。システム１００−ａのいくつかの実施形態は、管状炉への及びを介して、Ｃ−Ｏ−Ｈ化合物を含んでいる材料の連続的な動作をもたらすために、オーガ（不図示）を備えてよい。Ｃ−Ｏ−Ｈ化合物における材料は、いくつかのケースでは、固相内であってよい。オーガは、例えば高ニッケル合金鋼のような、少なくとも高ニッケル合金金属を含み得る材料構成を含んでよい。いくつかの実施形態においては、いくつかの実施形態は単一で一様のブレードピッチを用いてよいが、オーガは、多数のブレードの間において多数の異なるピッチを含んでよい。異なるピッチは、管状炉の１つ以上の部分における、Ｃ−Ｏ−Ｈ化合物の滞留時間の増加及び／又は減少において、役に立ってよい。
【００５３】
システム１００−ａのいくつかの実施形態においては、無酸化反応チャンバ１１０を用いて生成された無酸化反応を介して発生又は生成される炭化水素化合物は、少なくとも生成され又は冷めるときにおける、炭化水素化合物（あるいは、炭化水素化合物のエアロゾル形式）として、炭化水素エアロゾル形態を含んでよい。システム１００−ａのいくつかの実施形態は、エアロゾル材料を収集するために、液相における材料を介して、炭化水素エアロゾル形態を通すために構成されてよい。液相における材料は、炭化水素燃料を含んでよい。システム１００−ａのいくつかの実施形態は、液相における材料を介して、炭化水素エアロゾルを通すことが、メッシュを介して炭化水素エアロゾル形態を通過することを含むように、液体材料と組み合わされたメッシュを備えてよい。
【００５４】
システム１００−ａのいくつかの実施形態においては、無酸化反応は、炭化水素エアロゾルを発生してよい。システム１００−ａのいくつかの実施形態は、炭化水素エアロゾルが液体燃料を介して通過するように構成されてよい。液体燃料を介して炭化水素エアロゾルを通すことは、メッシュを介して炭化水素エアロゾルを通すことを含んでよい。これは、炭化水素エアロゾルの泡のサイズの減少を促進してよい。いくつかのケースにおいて、炭化水素エアロゾルは、ナフタレンを含んでよい。
【００５５】
システム１００−ａのいくつかの実施形態は、液体炭化水素燃料が、少なくとも他の液体燃料と混合され得るように構成されてよい。液体炭化水素燃料及び／又は他の液体燃料は、少なくとも、ガソリン、ディーゼル、又は、航空燃料を含んでよいが、これらに限定されない。Ｃ−Ｏ−Ｈ化合物は、少なくともバイオマスを含んでよい。
【００５６】
システム１００−ａのいくつかの実施形態においては、無酸化反応チャンバ１１０は、Ｃ−Ｏ−Ｈ化合物が滞留時間を有し得るように、構成されてよい。例えば、いくつかの実施形態では、滞留時間は、少なくとも１秒、１０秒、１００秒、３００秒、及び／又は１０００秒であってよい。システム１００−ａのいくつかの実施形態においては、無酸化反応チャンバ１１０は、温度が少なくとも９００度であるように構成されてよく、他の実施形態は、少なくとも摂氏１１００度を用いてよい。
【００５７】
システム１００−ａのいくつかの実施形態においては、液体炭化水素燃料は、少なくとも１６，０００ＢＴＵ／ｌｂ又は３７，０００ｋＪ／ｋｇのエネルギーコンテンツを有してよい。いくつかのケースでは、液体水素燃料は、少なくとも２０，０００ＢＴＵ／ｌｂ又は４６，０００ｋＪ／ｋｇのエネルギーコンテンツを有してよい。例えば、液体炭化水素燃料は、ディーゼル燃料の異なる形式に匹敵するエネルギーコンテンツを有してよい。
【００５８】
いくつかの実施形態においては、システム１００−ａは、Ｃ−Ｏ−Ｈ化合物が少なくとも水と混合され得るように、構成されてよい。無酸化反応チャンバ１１０は、少なくとも液体エアロゾル状態又は蒸気状態にて炭化水素燃料を生成するために、混合された水と共に元来のＣ−Ｏ−Ｈ化合物におけるいくつかの水が、Ｃ−Ｏ−Ｈ化合物と反応しうるように、Ｃ−Ｏ−Ｈ化合物を加熱するために構成されてよい。システム１００−ａのいくつかの実施形態は、少なくとも液体エアロゾル状態又は蒸気状態にて炭化水素燃料を生成するために、混合された水と共に元来のＣ−Ｏ−Ｈ化合物におけるいくつかの水が、Ｃ−Ｏ−Ｈ化合物と反応する前に、水と混合されたＣ−Ｏ−Ｈ化合物を、無酸化反応チャンバ１１０に送るために、構成されてよい。
【００５９】
システム１００−ａのいくつかの実施形態は、Ｃ−Ｏ−Ｈ化合物がいくつかのケースにおいて乾燥し得るが、湿ったＣ−Ｏ−Ｈ化合物を含むＣ−Ｏ−Ｈ化合物を用いてよい。無酸化反応チャンバ１１０においてＣ−Ｏ−Ｈ化合物を加熱することは、液体炭化水素燃料を生成するために、湿ったＣ−Ｏ−Ｈ化合物の一部である水をＣ−Ｏ−Ｈ化合物と反応することを含んでよい。システム１００−ａのいくつかの実施形態は、湿ったＣ−Ｏ−Ｈ化合物を加熱する前に、湿ったＣ−Ｏ−Ｈ化合物が無酸化反応チャンバ１１０に送られ得るように、構成されてよい。このプロセスは、含水熱分解プロセスとして参照されてよく、反応における湿った化合物からの水を用いてよく、反応は、無酸化又は熱分解反応として酸素を用いない。
【００６０】
様々な実施形態に係る、直接の液体炭化水素燃料製造又は炭化水素化学物質製造のためのシステム１００−ｂの他の外観は、図１Ｂにて提供される。システム１００−ｂは、図１Ａのシステム１００−ａの例であってよい。システム１００−ｂは、図１Ａの熱分解反応チャンバ１１０の例であり得る、熱分解反応チャンバ１１０−ａを備えてよい。システム１００−ｂは、また、液体燃料及び／又は液体溶媒チャンバ１２０、及び／又は蒸留器１３０を備えてよい。
【００６１】
熱分解反応チャンバ１１０−ａは、少なくとも液体炭化水素燃料又は炭化水素化学物質のコンポーネントであり得る、少なくとも炭化水素化合物を生成又は生成するために、Ｃ−Ｏ−Ｈ化合物が熱分解反応を介して反応するように、例えばバイオマス等のＣ−Ｏ−Ｈ化合物を少なくとも摂氏８００度の温度に加熱するために構成されてよい。いくつかのケースにおいては、液体炭化水素燃料は、摂氏２０度の温度のときに、液体であり得る。いくつかの実施形態は、熱分解反応チャンバ１１０−ａがＣ−Ｏ−Ｈ化合物を少なくとも摂氏９００度に加熱するように、構成されてよく、いくつかの実施形態は、Ｃ−Ｏ−Ｈ化合物を少なくとも摂氏１１００度に加熱してよい。
【００６２】
熱分解反応チャンバ１１０−ａによって生成された炭化水素化合物は、少なくとも生成され又は冷めるときにおける、炭化水素化合物として、炭化水素エアロゾル形態を含んでよい。システム１００−ｂは、エアロゾルの材料を収集するために、炭化水素エアロゾルが、液体燃料／溶媒チャンバ１２０内で、液相における材料を介し通過するように、構成されてよい。液相における材料は、炭化水素燃料を含んでよい。いくつかのケースにおいては、メッシュは、液相における材料を介して炭化水素エアロゾルを通すことが、メッシュを介して炭化水素エアロゾル形態を通すことを含むように、液体燃料チャンバ１２０内に設けられてよい。
【００６３】
例えば、システム１００−ｂは、エアロゾル材料を収集するために、生成された炭化水素化合物の炭化水素エアロゾル形態が、液体燃料／溶媒チャンバ１２０の内部に設けられた液相における材料を介して通過し得るように構成された、液体燃料／溶媒チャンバ１２０を備えてよい。液相における材料は、炭化水素燃料を含んでよい。いくつかのケースにおいては、メッシュは、液相における材料を介して炭化水素エアロゾルを通すことが、また、メッシュを介して炭化水素エアロゾル形態を通すことを含むように、液体燃料／溶媒チャンバ１２０の内部に設けられてよい。
【００６４】
システム１００−ｂのいくつかの実施形態においては、液体炭化水素燃料は、蒸留器１３０によって直接的に蒸留されてよい。これは、いくつかのケースにおいては、１つ以上の触媒を用いないことを含んでよい。例えば、蒸留器１３０は、液体燃料／溶媒チャンバ１２０において収集され得る液体炭化水素燃料を蒸留するために、用いられてよい。
【００６５】
様々な実施形態に係る、直接の液体炭化水素燃料製造又は炭化水素化学物質製造のためのシステム１００−ｃの他の外観は、図１Ｃにて提供される。システム１００−ｃは、図１Ａのシステム１００−ａ、及び／又は図１Ｂのシステム１００−ｂの側面の例であってよい。システム１００−ｃは、例えば、図１Ａの無酸化反応チャンバ１１０又は図１Ｂの熱分解反応チャンバ１１０−ａの例であってよい、熱分解反応チャンバ１１０−ｂを備えてよい。システム１００−ｃは、また、コンベヤ１０５を備えてよい。システム１００−ｃは、また、いくつかのケースにおいては、液体溶媒チャンバ１２０−ａを備えてよく、液体溶媒チャンバは、図１Ｂの液体燃料及び／又は液体溶媒チャンバ１２０の例であってよい。
【００６６】
熱分解反応チャンバ１１０−ｂは、少なくとも液体炭化水素燃料又は炭化水素化学物質のコンポーネントであってよい、少なくとも炭化水素化合物を生成するために、熱分解反応を介してＣ−Ｏ−Ｈ化合物が反応するように、Ｃ−Ｏ−Ｈ化合物を少なくとも摂氏８００度の温度に加熱するために構成されてよい。いくつかのケースでは、液体炭化水素燃料は、摂氏２０度の温度のときに、液体であってよい。
【００６７】
システム１００−ｃのいくつかの実施形態は、熱分解反応チャンバ１１０−ｂへの及びを介して、Ｃ−Ｏ−Ｈ化合物を含んでいる材料の連続的な動作をもたらすために、コンベヤ１０５を備えてよい。コンベヤ１０５は、オーガとして構成されてよい。オーガは、少なくとも高ニッケル合金金属を含み得る材料構成を含んでよい。例えば、他の合金が用いられてもよいが、高ニッケル合金鋼が用いられてよい。いくつかの実施形態において、いくつかの実施形態が、単一の一様なブレードピッチを含んでよいが、オーガは多数のブレードの間の多数の異なるピッチを含んでよい。システム１００−ｃのいくつかの実施形態においては、熱分解反応チャンバ１１０−ｂは、管状炉を備えてよい。管状炉は、少なくとも高ニッケル合金金属を含み得る材料構成を含んでよい。他の合金が用いられてもよいが、高ニッケル合金鋼は、いくつかのケースにおいて用いられてよい。
【００６８】
熱分解反応チャンバ１１０−ｂによって生成された炭化水素化合物は、少なくとも生成され又は冷めるときにおける、炭化水素化合物の炭化水素エアロゾル形態を含んでよい。システム１００−ｃは、生成された炭化水素化合物の炭化水素エアロゾル形態が、エアロゾル材料を収集するために、液体溶媒チャンバ１２０−ａの内部に設けられた液相における材料を介して通過し得るように構成された、液体溶媒チャンバ１２０−ａを備えてよい。液相における材料は、炭化水素燃料を含んでよい。いくつかのケースにおいては、メッシュは、液相における材料を介して炭化水素エアロゾルを通すことが、また、メッシュを介して炭化水素エアロゾルを通すことを含むように、液体溶媒チャンバ１２０−ａの内部に設けられてよい。
【００６９】
図１Ｄは、様々な実施形態に係る、直接の液体炭化水素燃料製造又は炭化水素化学物質製造のためのシステム１００−ｄを示す。システム１００−ｄは、図１Ａのシステム１００−ａ、図１Ｂのシステム１００−ｂ、及び／又は図１Ｃのシステム１００−ｃの側面の例であってよい。システム１００−ｄは、図１Ａの無酸化反応チャンバ１１０−ａ、図１Ｂの熱分解反応チャンバ１１０−ｂ、及び／又は図１Ｃの熱分解反応チャンバ１１０−ｃの例であってよい、管状炉１１０−ｃを備えてよい。システム１００−ｄは、また、図１Ｃのコンベヤ１０５の例であってよい、オーガ１０５−ａを備えてよい。
【００７０】
管状炉１１０−ｃは、Ｃ−Ｏ−Ｈ化合物が、少なくとも液体炭化水素燃料又は炭化水素化学物質のコンポーネントであってよい、少なくとも炭化水素化合物を生成するために、熱分解反応を介して反応するように、Ｃ−Ｏ−Ｈ化合物を少なくとも摂氏８００度の温度に加熱するために構成されてよい。いくつかのケースにおいては、液体炭化水素燃料は、摂氏２０度のときに、液体であってよい。いくつかの実施形態は、管状炉１１０−ｃが、Ｃ−Ｏ−Ｈ化合物を少なくとも摂氏９００度に加熱するように構成されてよく、いくつかの実施形態は、Ｃ−Ｏ−Ｈ化合物を少なくとも摂氏１１００度に加熱してよい。
【００７１】
オーガ１０５−ａは、管状炉１１０−ｃへの及びを介して、Ｃ−Ｏ−Ｈ化合物を含んでいる材料の連続的な動作に作用してよい。オーガ１０５−ａは、例えば、高ニッケル合金鋼のような、少なくとも高ニッケル合金金属を含み得る材料構成を含んでよい。いくつかの実施形態においては、いくつかの実施形態は、単一で一様なブレードピッチを用いてよいが、オーガ１０５−ａは、多数のブレードの間において多数の異なるピッチを含んでよい。システム１００−ｄのいくつかの実施形態においては、管状炉１１０−ｃは、例えば、高ニッケル合金鋼のような、少なくとも高ニッケル合金金属を含み得る材料構成を含んでよい。
【００７２】
図１Ｅは、様々な実施形態に係る、直接の液体炭化水素燃料製造又は炭化水素化学物質製造のための他のシステム１００−ｅを示す。システム１００−ｅは、図１Ａのシステム１００−ａ、図１Ｂのシステム１００−ｂ、図１Ｃのシステム１００−ｃ、及び／又は図１Ｄのシステム１００−ｄの側面の例であってよい。システム１００−ｅは、図１Ａの無酸化反応チャンバ１１０、図１Ｂの熱分解反応チャンバ１１０−ａ、図１Ｃの熱分解反応チャンバ１１０−ｂ、及び／又は図１Ｄの管状炉１１０−ｃの例であってよい、管状炉１１０−ｄを備えてよい。システム１００−ｅは、また、図１Ｃのコンベヤ１０５の例であってよい、オーガ１０５−ｂを備えてよい。
【００７３】
管状炉１１０−ｄは、Ｃ−Ｏ−Ｈ化合物が、少なくとも液体炭化水素燃料又は炭化水素化学物質のコンポーネントであってよい、少なくとも炭化水素化合物を生成するために、熱分解反応を介して反応するように、Ｃ−Ｏ−Ｈ化合物を少なくとも摂氏８００度に加熱するために構成されてよい。いくつかのケースにおいては、液体炭化水素燃料は、摂氏２０度のときに、液体であってよい。いくつかの実施形態は、管状炉１１０−ｄが、Ｃ−Ｏ−Ｈ化合物を少なくとも摂氏９００度に加熱するように構成されてよく、いくつかの実施形態は、Ｃ−Ｏ−Ｈ化合物を少なくとも摂氏１１００度に加熱してよい。
【００７４】
オーガ１０５−ｂは、管状炉１１０−ｄへの及びを介して、Ｃ−Ｏ−Ｈ化合物を含んでいる材料の連続的な動作に作用してよい。オーガ１０５−ｂは、例えば、高ニッケル合金鋼のような、少なくとも高ニッケル合金金属を含み得る材料構成を含んでよい。いくつかの実施形態においては、オーガ１０５−ｂは、多数のブレードの間の多数の異なるピッチを含んでよい。例えば、オーガ１０５−ｂは、第１のピッチのブレードを有してよい、第１のセクション１０６−ａ、及び第２のピッチの第２のセクション１０６−ｂを備えてよい。この例においては、第２のピッチは、第１のピッチより小さくてよい。これは、例えば、第２のセクション１０６−ｂよりも、単位長さあたりの長い滞留時間を有するＣ−Ｏ−Ｈ化合物をもたらすことになってよい。他のバリエーションは、例えば、異なるピッチにてより多くのセクションとして用いられてよい。セクションのピッチを増加させることは、一般的には、単位長さあたりの滞留時間を減少させ得る。いくつかの実施形態においては、滞留時間の増加は、生成されたバイオ炭（ｂｉｏ−ｃｈａ）の量を増加するために用いられてよい。いくつかのケースにおいては、滞留時間の減少は、熱分解の発生の量に作用するために用いられてよい。システム１００−ｄのいくつかの実施形態においては、管状炉１１０−ｄは、例えば、高ニッケル合金鋼のような、少なくとも高ニッケル合金金属を含み得る材料構成を含んでよい。
【００７５】
Ａに移って、様々な実施形態に係る、直接の液体炭化水素燃料製造又は炭化水素化学物質製造のための、システム２００−ａが、提供される。いくつかの実施形態においては、システム２００−ａは、図１Ａのシステム１００−ａ、図１Ｂのシステム１００−ｂ、図１Ｃのシステム１００−ｃ、図１Ｄのシステム１００−ｄ、及び／又は図１Ｅのシステム１００−ｅの側面の例であってよい。
【００７６】
システム２００−ａは、チャンバ２０２−ａ、チャンバ２０２−ａと熱伝達する加熱システム２１０−ａ、チャンバ２０２−ａに不活性及び／又は不活性でないガスを提供するための任意のガス供給ライン２１４−ａ、任意のバルブ２０８−ａを用いることにより、チャンバ２０２−ａに加えられる水のための任意の水供給ライン２０６、プロダクト（例えば、炭化水素化学物質、炭化水素化合物、及び／又は液体炭化水素燃料等）が他のコンポーネント（不図示）に流れるために、チャンバ２０２−ａを出るのを許容する排出ライン２１８−ａを備えてよい。例えばチャンバ２０２−ａのようなコンポーネントは、図１Ａの無酸化反応チャンバ１１０、図１Ｂの熱分解反応チャンバ１１０−ａ、図１Ｃの熱分解反応チャンバ１１０−ｂ、図１Ｄの管状炉１１０−ｃ、及び／又は図１Ｅの管状炉１１０−ｄの側面の例であってよい。
【００７７】
Ｃ−Ｏ−Ｈ化合物２０４−ａは、チャンバ２０２−ａの内部に設けられてよい。様々な実施形態に係る方法に適して見いだされ得る、Ｃ−Ｏ−Ｈ化合物２０４−ａの例は、例えば、セルロース、ヘミセルロースのようなバイオマスのソース、及び／又は、例えば、バイオマスにおいて見いだされるような、リグニンのソースを含んでよいが、これに限定されない。いくつかのプロセスは、不活性の及び／又は不活性でないガスを用いてよく、１つ以上のバルブ２１６−ａを介してチャンバ２０２−ａに入れられてよく、コントローラ２１２−ａは、また、バルブ２１６−ａを用いることにより、不活性の及び／又は不活性でないガスを有するチャンバ２０２−ａを連続的に通じるときを制御してよい。コントローラ２１２−ａは、Ｃ−Ｏ−Ｈ化合物２０４−ａをチャンバ２０２−ａの内部の環境にて分離及び／又は反応させる、高い温度を提供するために、加熱システム２１０−ａを制御し得る。いくつかの実施形態においては、加熱システム２０２−ａは、少なくとも摂氏８００度にチャンバ２０２−ａを加熱するように構成されてよく、いくつかの実施形態は、少なくとも９００度、あるいは、いくつかのケースにおいては少なくとも１１００度にチャンバ２０２−ａを加熱するために構成されてよい。コントローラ２１２−ａは、また、Ｃ−Ｏ−Ｈ化合物を含んでいる材料のチャンバ２０２−ａへの挿入の速度率を制御してよい。いくつかの実施形態においては、コントローラ２１２−ａは、更に、Ｃ−Ｏ−Ｈ化合物２０４−ａの化学反応を引き起こすべく、Ｃ−Ｏ−Ｈ化合物２０４−ａを加熱するために、加熱システム２１０−ａの温度を制御してよい。
【００７８】
Ｃ−Ｏ−Ｈ化合物の処理の間、システム２０２−ａは、気圧と、いくつかのケースにおいては約２０トルゲージ（ｔｏｒｒ  ｇａｇｅ）以上であってよいやや大きい圧力の間において実行してよい。これは、システムにおいて空気の漏れを最小化するために役立ってよく、例えば、爆発のような圧力が上昇するイベントのリスクを著しく減らし得る。
【００７９】
いくつかの実施形態においては、任意の水供給ライン２０６−ａは、チャンバ２０２−ａに誘導される前に、化合物の湿った形式を形成するために、水がＣ−Ｏ−Ｈ化合物と組み合わされ得るように構成されてよい。いくつかの実施形態は、湿った化合物をチャンバ２０２−ａに送るために利用され得るコンベヤ機構（不図示）を備えてよい。いくつかのコンベヤ機構は、チャンバ２０２−ａを介してＣ−Ｏ−Ｈ化合物を運搬するために利用されてよい。
【００８０】
様々な実施形態に係る、直接の液体炭化水素燃料製造又は炭化水素化学物質製造のための他の簡易化されたシステム２００−ｂの外観は、図２Ｂにて提供される。いくつかの実施形態においては、システム２００−ｂは、図１Ａのシステム１００−ａ、図１Ｂのシステム１００−ｂ、図１Ｃのシステム１００−ｃ、図１Ｄのシステム１００−ｄ、及び／又は図１Ｅのシステム１００−ｅの側面の例であってよい。
【００８１】
システム２００−ｂは、チャンバ２０２−ｂ、チャンバ２０２−ｂと熱伝達する加熱システム２１０−ｂ、チャンバ２０２−ｂに不活性及び／又は不活性でないガスを提供するための任意のガス供給ライン２１４−ｂ、任意の供給源ホッパー又はチャンバ２２２内でＣ−Ｏ−Ｈ化合物に加えられる水のための任意の水供給ライン２０６−ｂ、反応プロダクト（例えば、炭化水素化学物質、炭化水素化合物、及び／又は液体炭化水素燃料等）がチャンバ２０２−ｂを出るのを許容する排出ライン２１８−ｂ、及び／又はコントローラ２１２−ｂを備えてよい。Ｃ−Ｏ−Ｈ化合物２０４−ｂは、チャンバ２０２−ｂの内部に設けられてよい。様々な実施形態に係る方法に適して見いだされ得る、湿ってあるいは乾いていてよい、Ｃ−Ｏ−Ｈ化合物２０４−ｂの例は、例えば、セルロース、ヘミセルロースのようなバイオマスのソース、及び／又は、例えば、バイオマスにおいて見いだされるような、リグニンのソースを含んでよいが、これに限定されない。例えばチャンバ２０２−ｂのようなコンポーネントは、図１Ａの無酸化反応チャンバ１１０、図１Ｂの熱分解反応チャンバ１１０−ａ、図１Ｃの熱分解反応チャンバ１１０−ｂ、図１Ｄの管状炉１１０−ｃ、及び／又は図１Ｅの管状炉１１０−ｄの側面の例であってよい。
【００８２】
いくつかの実施形態は、不活性の及び／又は不活性でないガスを用い得るプロセスを用いてよく、コントローラ２１２−ｂによって制御され得る、１つ以上のバルブ２１６−ｂを介してチャンバ２０２−ｂに入れられてよい。コントローラ２１２−ｂは、バルブ２１６−ｂを用いることにより、不活性の及び／又は不活性でないガスを有するチャンバ２０２−ｂを連続的に通じるときを制御してよい。コントローラ２１２−ｂは、Ｃ−Ｏ−Ｈ化合物２０４−ｂをチャンバ２０２−ｂの内部の環境にて分離するべく、チャンバ２０２−ｂの内部の高い温度を提供するために、加熱システム２１０−ｂを制御し得る。いくつかの実施形態においては、加熱システム２０２−ｂは、チャンバ２０２−ｂを、少なくとも摂氏８００度、少なくとも摂氏９００度、及び／又は少なくとも摂氏１１００度に加熱するために構成されてよい。コントローラ２１２−ｂは、また、Ｃ−Ｏ−Ｈ化合物を含んでいる材料のチャンバ２０２−ｂへの挿入の速度率を制御してよい。バルブ２１７は、いくつかのケースにおいて利用されてよい。コントローラ２１２−ｂは、更に、Ｃ−Ｏ−Ｈ化合物２０４−ｂの化学反応を引き起こすべく、Ｃ−Ｏ−Ｈ化合物２０４−ｂを加熱するために、加熱システム２１０−ａの温度を制御してよい。
【００８３】
バイオマスの処理の間、システム２０２−ｂは、気圧と、いくつかのケースにおいては約２０トルゲージ（ｔｏｒｒ  ｇａｇｅ）以上であってよいやや大きい圧力の間において実行してよい。これは、システムにおいて空気の漏れを最小化するために役立ってよく、例えば、爆発のような圧力が上昇するイベントのリスクを著しく減らし得る。
【００８４】
いくつかの実施形態においては、任意の水供給ライン２０６−ｂは、例えば、供給源ホッパー又はチャンバ２２２内のような、チャンバ２０２−ｂに誘導される前に、化合物の湿った形式を形成するために、水がＣ−Ｏ−Ｈ化合物と組み合わされ得るように構成されてよい。いくつかの実施形態は、湿った又は乾いた化合物をチャンバ２０２−ｂに送るために利用され得るコンベヤ機構２１４を備えてよい。コンベヤ機構２１４は、いくつかのケースにおいてオーガを備えてよい。いくつかの実施形態は、Ｃ−Ｏ−Ｈ化合物を含んでいる材料をチャンバ２０２−ｂに送るのを支援するために、重力を用いてよい。いくつかのケースにおいては、Ｃ−Ｏ−Ｈ化合物を含んでいる材料は、手動にてチャンバ２０２−ｂに送られてよい。
【００８５】
いくつかの方法、システム、及び装置は、また、例えば、液体炭化水素エアロゾル捕捉のような、エアロゾル捕捉のために提供されてよい。いくつかのケースにおいては、これらのシステム、方法、及び／又は装置は、液体炭化水素燃料及び／又は炭化水素化学物質製造のための、方法、システム、及び／又は装置と併せてあるいは一環として、用いられてよい。エアロゾルは、ガス、あるいは、それを漂っている粒子を有し得るガスの混合を含んでよい。粒子は、液体又は固体又は両方であってよく、粒子は、１つ以上の化学種を含んでよい。温度、圧力、エアロゾル無しの環境の構成の変化で、及び／又は、時間の経過で、エアロゾルにおけるガスのコンポーネントは、凝縮、合体、及び／又は結晶化してよく、及び、エアロゾルの粒子部分のコンポーネントになってよい。エアロゾルを収集する又は捕捉する作業は、エアロゾル無しの形式内に、エアロゾルの１つ以上のコンポーネントのすべて、あるいは、一部を収集すること含んでよい。実施形態は、エアロゾルを収集するために、エアロゾル収集チャンバの内部に設けられる、液相バルクにおける材料を介してエアロゾルを通過するために構成され得る、エアロゾル収集チャンバを用いてよい。エアロゾル収集チャンバの異なる構成は、更に、例えば、バルク液相材料、及び／又は、エアロゾルとバルク液相材料との間におけるコンタクトの領域を介する、通路長を増大することを介して、エアロゾルの収集を促進してよい。いくつかの実施形態は、エアロゾル製造及び／又はエアロゾルの収集されたコンポーネントの蒸留を含んでよい。エアロゾルの蒸留された収集されたコンポーネントは、いくつかのケースにおいて、バルク液相材料を増加させるために用いられてよい。
【００８６】
様々な実施形態に係る、エアロゾル捕捉のためのシステム３００−ａの外観は、図３Ａにて提供される。システム３００−ａは、エアロゾル収集チャンバ３１０を備えてよい。具体的な示されているコンポーネントは、単に例示されるために意図される。いくつかの実施形態は、必ずしも示されていない、用いられ得る、他のコンポーネントを備えてよい。これらの変形例のすべてではないが、いくつかは、下記に記載されてよい。いくつかの実施形態においては、エアロゾル捕捉チャンバ３１０は、図１Ｂ及び／又は図１Ｃの液体燃料及び／又は液体溶媒チャンバ１２０の例であってよい。
【００８７】
システム３００−ａのいくつかの実施形態においては、エアロゾル収集チャンバ３１０は、エアロゾルの１つ以上のコンポーネントの少なくとも一部を収集するために、エアロゾル収集チャンバの内部に設けられたバルク液相における材料を介して、エアロゾルを通すために構成されてよい。収集されたエアロゾルのコンポーネントは、いくつかのケースにおいて、少なくとも液体炭化水素のコンポーネントを含んでよい。いくつかのケースにおいては、液体炭化水素は、液体炭化水素燃料であってよい。収集されたエアロゾルのコンポーネントは、炭化水素化合物を含んでよい。
【００８８】
システム３００−ａのいくつかの実施形態においては、バルク液相における材料は、液体炭化水素を含んでよい。いくつかのケースにおいては、液体炭化水素は、液体炭化水素燃料であってよい。バルク液相における材料は、水を含んでよい。バルク液相における材料は、いくつかのケースにおいては、システム３００−ａにおいて温度制御されてよい。
【００８９】
システム３００−ａは、バルク液相における材料を介する、エアロゾルの通過のための通路の長さを増加させるために、バルク液相における材料を含んでいるらせん形の、１つ以上のチューブの長さを含んでよい。システム３００−ａのいくつかの実施形態は、バルク液相における材料を介するエアロゾルの通過のための通路の長さを増加させるために、エアロゾル収集チャンバの内部に設けられた１つ以上のオーガを含んでよい。これらの側面は、例えば、図４Ｄ及び／又は図４Ｅのような、他の図において示されてよい。
【００９０】
システム３００−ａは、エアロゾルの収集されたコンポーネントの全てあるいは一部を蒸留するために、エアロゾル収集チャンバと組み合わされた１つ以上の蒸留システムを備えてよい。１つ以上のカプラーは、バルク液相における材料を増加させるために、蒸留された収集されたエアロゾルコンポーネントの全てあるいは一部と一緒に、バルク液相における材料を増加するために、１つ以上の蒸留器の１つ以上をエアロゾル収集チャンバに組み合わせるために、システム３００−ａにおいて構成されてよい。これらの側面は、例えば、図３Ｃのような、他の図面において示されてよい。
【００９１】
システム３００−ａのいくつかの実施形態は、エアロゾルとバルク液相における材料との間のコンタクトの領域を増加するために構成されたエアロゾル収集チャンバ３１０の内部に設けられた固体材料のメッシュであって、エアロゾル及びバルク液相における材料が通過されるものを備えてよい。システム３００−ａのいくつかの実施形態は、バルク液相における材料を介する通路長さを増加するために構成されたエアロゾル収集チャンバ３１０の内部に設けられた、多数のバッフルを備えてよい。システム３００−ａのいくつかの実施形態は、エアロゾル収集チャンバ３１０の内部の多数のバッフルの周囲に設けられた固体材料のメッシュであって、これは、エアロゾルとバルク液相における材料との間の近アクトの領域を増加するために構成されてよく、エアロゾルが通過されるものを備えてよい。これらの側面は、例えば、図４Ｂ及び／又は図４Ｃのような、他の図面において示されてよい。
【００９２】
システム３００−ａは、エアロゾルの他の収集されたコンポーネントよりも高い濃度で、及び、いくつかのケースにおいてはエアロゾル収集チャンバからのバルク液相における材料の濃度よりも高くで、水あるいは他の液体の除去を許可するために、エアロゾル収集チャンバ３１０と組み合わされた１つ以上のポートを備えてよい。いくつかの実施形態は、エアロゾル収集チャンバから、収集されたエアロゾルコンポーネントの一部又は全部、及び／又は、バルク液相における材料の一部又は全部の除去を許可するために、エアロゾル収集チャンバ３１０と組み合わされた１つ以上のポートを備えてよい。
【００９３】
システム３００−ａのいくつかの実施形態は、エアロゾル収集チャンバ３１０と組み合わされた、１つ以上のエアロゾル生成チャンバを備えてよい。いくつかのケースにおいては、少なくとも炭化水素化合物を生成するエアロゾル生成チャンバを備えてよい。いくつかのケースにおいては、エアロゾル生成チャンバは、少なくとも炭化水素化合物を生成するために、バイオマスを用いてよい。いくつかのケースにおいては、エアロゾル生成チャンバは、少なくとも炭化水素化合物を生成するために、公共固形廃棄物を用いてよい。単に例として、エアロゾル生成チャンバは、高速熱分解、及び／又は、閃光熱分解プロセスを用いてエアロゾルを生成してよい。熱分解の異なる技術は、例えば、気泡流動層、循環流動層、及び／又は、輸送反応器、回転円錐熱分解装置、奪格熱分解装置、真空熱分解、オーガ反応装置、及び／又は管状炉を含んでいるものを用いてよいが、これに限定されない。
【００９４】
様々な実施形態に係る、エアロゾル捕捉のためのシステム３００−ｂの他の外観は、図３Ｂにて提供される。システム３００−ｂは、図３Ａのシステム３００−ａの例であってよい。システム３００−ｂは、図３Ａのエアロゾル収集チャンバ３１０の例であってよい、バルク液相材料チャンバ３１０−ａを備えてよい。バルク液相材料チャンバ３１０−ａは、また、いくつかのケースにおいては、液体溶媒又は燃料チャンバとして参照されてよい。システム３００−ｂは、また、エアロゾル生成チャンバ３０５を備えてよい。いくつかの実施形態においては、エアロゾル生成チャンバ３０５は、例えば、図１Ａの無酸化反応チャンバ１１０、図１Ｂの熱分解反応チャンバ１１０−ａ、図１Ｃの熱分解反応チャンバ１１０−ｂ、図１Ｄの管状炉１１０−ｃ、図１Ｅの管状炉１１０−ｄ、図２Ａのシステム２００−ａ、及び／又は、図２Ｂのシステム２００−ｂの例であってよい。いくつかの実施形態においては、バルク液相材料チャンバ３１０−ａは、図１Ｂ及び／又は図１Ｃの液体燃料及び／又は溶媒チャンバ１２０、及び／又は、図３Ｂのエアロゾル捕捉チャンバ３１０の例であってよい。示される特定のコンポーネントは、単に例示されるために意図される。いくつかの実施形態は、必ずしも示されていない、用いられ得る、他のコンポーネントを備えてよい。これらの変形例のすべてではないが、いくつかは、下記に記載されてよい。
【００９５】
エアロゾル生成チャンバ３０５は、バルク液相材料チャンバ３１０−ａと組み合わされてよい。エアロゾル生成チャンバ３０５は、バルク液相材料チャンバ３１０−ａに与えられてよい、エアロゾル形式であってよい少なくとも炭化水素化合物を生成するために構成されてよい。いくつかのケースにおいては、エアロゾル生成チャンバ３０５は、少なくとも炭化水素化合物を生成するために、バイオマスを用いてよい。いくつかのケースにおいては、エアロゾル生成チャンバ３０５は、少なくとも炭化水素化合物を生成するために、公共固形廃棄物を用いてよい。
【００９６】
エアロゾル生成チャンバ３０５において生成されたエアロゾルは、エアロゾルの１つ以上のコンポーネントの少なくとも一部を収集するために、エアロゾルが、バルク液相材料チャンバ３１０−ａの内部に設けられた、バルク液相における材料を介して通過し得るように、バルク液相材料チャンバ３１０−ａと組み合わされてよい。収集されたエアロゾルコンポーネントは、いくつかのケースにおいて、液体炭化水素の少なくともコンポーネントを備えてよい。収集されたエアロゾルコンポーネントは、炭化水素化合物を含んでよい。
【００９７】
システム３００−ｂのいくつかの実施形態において、バルク液相における材料は、液体炭化水素を含んでよい。バルク液相における材料は、水を含んでよい。バルク液相における材料は、いくつかのケースにおいてシステム３１０−ｂにおいて温度制御されてよい。
【００９８】
図３Ｃは、様々な実施形態に係る、エアロゾル捕捉のためのシステム３００−ｃを示す。システム３００−ｃは、図３Ａのシステム３００−ａ、及び／又は、図３Ｂのシステム３００−ｂの例であってよい。システム３００−ｃは、図３Ｂのエアロゾル生成チャンバ３０５の例であってよい、炭化水素エアロゾル生成チャンバ３０５−ａを備えてよい。システム３００−ｃは、また、図３Ａのエアロゾル収集チャンバ３０５、又は、図３Ｂのバルク液相材料チャンバ３０５−ａの例であってよい、バルク液体炭化水素チャンバ３１０−ｂを備えてよい。システム３００−ｃは、また、蒸留器３１５を備えてよい。蒸留器３１５は、図１Ｂの蒸留器１３０の例であってよい。示される特定のコンポーネントは、単に例示されるために意図される。いくつかの実施形態は、必ずしも示されていない、用いられ得る、他のコンポーネントを備えてよい。これらの変形例のすべてではないが、いくつかは、下記に記載されてよい。
【００９９】
システム３００−ｃは、収集されたエアロゾルコンポーネントを蒸留するために、バルク炭化水素チャンバ３１０−ｂと組み合わされてよい、蒸留器３１５を利用してよい。この例の収集されたエアロゾルコンポーネントは、炭化水素エアロゾル生成チャンバ３０５−ａを介して生成された、炭化水素エアロゾルを含んでよい。いくつかの実施形態においては、１つ以上のカプラー３２０は、蒸留された収集されたエアロゾルコンポーネントの全部又は一部と一緒に、バルク液体炭化水素チャンバ３１０−ｂにおいて設けられた、液体炭化水素を増加させるために、バルク液体炭化水素チャンバ３１０−ｂに対してバックの蒸留器３１５に結合するために、システム３００−ｃにおいて構成されてよい。
【０１００】
ここで図４Ａに移って、様々な実施形態に係る、エアロゾル捕捉のためのシステム４００−ａが提供される。いくつかの実施形態において、システム４００−ａは、図３Ａのシステム３００−ａ、図３Ｂのシステム３００−ｂ、及び／又は、図３Ｃのシステム３００−ｃの側面の例であってよい。示される特定のコンポーネントは、単に例示されるために意図される。いくつかの実施形態は、必ずしも示されていない、用いられ得る、他のコンポーネントを備えてよい。これらの変形例のすべてではないが、いくつかは、下記に記載されてよい。
【０１０１】
システム３００−ａは、エアロゾル４２０の１つ以上のコンポーネントの少なくとも一部を収集するために、エアロゾル収集チャンバ３１０−ｃの内部に設けられてよい、バルク液相４２５における材料を介してエアロゾル４２０を通すために構成されてよい、エアロゾル収集チャンバ３１０−ｃを備えてよい。収集されたエアロゾルコンポーネントは、いくつかのケースにおいて少なくとも液体炭化水素のコンポーネントを含んでよい。収集されたエアロゾルコンポーネントは、炭化水素化合物を含んでよい。
【０１０２】
システム４００−ａのいくつかの実施形態においては、液相における材料４２５は、バルク液体炭化水素を含んでよい。液相における材料４２５は、水を含んでよい。液相における材料４２５は、いくつかの実施形態においてエアロゾル収集チャンバ３１０−ｃにおいて温度制御されてよい。
【０１０３】
システム４００−ａは、エアロゾルの他の収集されたコンポーネントよりも高い濃度で、及び、いくつかのケースにおいてはエアロゾル収集チャンバ３１０−ｃからのバルク液相における材料の濃度よりも高くで、水あるいは他の液体の除去を許可するために、エアロゾル収集チャンバ３１０−ｃと組み合わされ得る１つ以上の下部ポート４３０を備えてよい。いくつかの実施形態は、エアロゾル収集チャンバ３１０−ｃからの、収集されたエアロゾルコンポーネントの除去を許可するために、エアロゾル収集チャンバ３１０と組み合わされてよい、１つ以上の上部ポート４３５を備えてよい。システム４００−ａは、エアロゾル収集チャンバ３１０−ｃへのエアロゾルの誘導を許可するために、エアロゾル収集チャンバ３１０−ｃと組み合わされてよい、１つ以上のポート４４０を備えてよい。
【０１０４】
ここで図４Ｂに移って、様々な実施形態に係る、エアロゾル捕捉のためのシステム４００−ｂが提供される。いくつかの実施形態においては、システム４００−ｂは、図３Ａのシステム３００−ａ、図３Ｂのシステム３００−ｂ、図３Ｃのシステム３００−ｃ、及び／又は図４Ａのシステム４００−ａの側面の例であってよい。示される特定のコンポーネントは、単に例示されるために意図される。いくつかの実施形態は、必ずしも示されていない、用いられ得る、他のコンポーネントを備えてよい。これらの変形例のすべてではないが、いくつかは、下記に記載されてよい。
【０１０５】
システム４００−ｂは、エアロゾルの１つ以上のコンポーネントの少なくとも一部を収集するために、エアロゾル収集チャンバ３１０−ｄの内部に設けられてよい、バルク液相における材料を介してエアロゾルを通すために構成されてよい、エアロゾル収集チャンバ３１０−ｄを備えてよい。収集されたエアロゾルコンポーネントは、いくつかのケースにおいて少なくとも液体炭化水素のコンポーネントを含んでよい。収集されたエアロゾルコンポーネントは、炭化水素化合物を含んでよい。
【０１０６】
システム４００−ｂのいくつかの実施形態においては、バルク液相における材料は、液体炭化水素を含んでよい。バルク液相における材料は、水を含んでよい。バルク液相における材料は、いくつかの実施形態においてエアロゾル収集チャンバ３１０−ｄにおいて温度制御されてよい。
【０１０７】
システム４００−ｂは、エアロゾルの他の収集されたコンポーネントよりも高い濃度で、及び、いくつかのケースにおいてはエアロゾル収集チャンバ３１０−ｄからのバルク液相における材料の濃度よりも高くで、水あるいは他の液体の除去を許可するために、エアロゾル収集チャンバ３１０−ｄと組み合わされ得る１つ以上の下部ポート４３０−ａを備えてよい。いくつかの実施形態は、エアロゾル収集チャンバ３１０−ｄからの、収集されたエアロゾルコンポーネントの除去を許可するために、エアロゾル収集チャンバ３１０−ｄと組み合わされてよい、１つ以上の上部ポート４３５−ａを備えてよい。システム４００−ｂは、エアロゾル収集チャンバ３１０−ｄへのエアロゾルの誘導を許可するために、エアロゾル収集チャンバ３１０−ｄと組み合わされてよい、１つ以上のポート４４０−ａを備えてよい。
【０１０８】
システム４００−ｂのいくつかの実施形態は、エアロゾル収集チャンバ３１０−ｄの内部に設けられた固体材料の１つ以上のメッシュ４４０−ｉ、４４０−ｊを備えてよい。メッシュ４４０は、エアロゾルとバルク液相における材料との間のコンタクトの領域を増加するために構成されてよく、エアロゾル及びバルク液相における材料が通される。
【０１０９】
ここで図４Ｃに移って、様々な実施形態に係る、エアロゾル捕捉のためのシステム４００−ｃが提供される。いくつかの実施形態においては、システム４００−ｃは、図３Ａのシステム３００−ａ、図３Ｂのシステム３００−ｂ、図３Ｃのシステム３００−ｃ、図４Ａのシステム４００−ａ、及び／又は図４Ｂのシステム４００−ｂの側面の例であってよい。示される特定のコンポーネントは、単に例示されるために意図される。いくつかの実施形態は、必ずしも示されていない、用いられ得る、他のコンポーネントを備えてよい。これらの変形例のすべてではないが、いくつかは、下記に記載されてよい。
【０１１０】
システム４００−ｃは、エアロゾルの１つ以上のコンポーネントの少なくとも一部を収集するために、エアロゾル収集チャンバ３１０−ｅの内部に設けられてよい、バルク液相における材料を介してエアロゾルを通過するために構成されてよい、エアロゾル収集チャンバ３１０−ｅを備えてよい。収集されたエアロゾルコンポーネントは、いくつかのケースにおいて少なくとも液体炭化水素のコンポーネントを含んでよい。収集されたエアロゾルコンポーネントは、炭化水素化合物を含んでよい。
【０１１１】
システム４００−ｃのいくつかの実施形態においては、バルク液相における材料は、液体炭化水素を含んでよい。バルク液相における材料は、水を含んでよい。バルク液相における材料は、いくつかの実施形態においてエアロゾル収集チャンバ３１０−ｅにおいて温度制御されてよい。
【０１１２】
システム４００−ｃは、エアロゾルの他の収集されたコンポーネントよりも高い濃度で、及び、いくつかのケースにおいてはエアロゾル収集チャンバ３１０−ｅからのバルク液相における材料の濃度よりも高くで、水あるいは他の液体の除去を許可するために、エアロゾル収集チャンバ３１０−ｅと組み合わされ得る１つ以上の下部ポート４３０−ｂを備えてよい。いくつかの実施形態は、エアロゾル収集チャンバ３１０−ｅからの、収集されたエアロゾルコンポーネントの除去を許可するために、エアロゾル収集チャンバ３１０−ｅと組み合わされてよい、１つ以上の上部ポート４３５−ｂを備えてよい。システム４００−ｃは、エアロゾル収集チャンバ３１０−ｅへのエアロゾルの誘導を許可するために、エアロゾル収集チャンバ３１０−ｅと組み合わされてよい、１つ以上のポート４４０−ｂを備えてよい。
【０１１３】
システム４００−ｃのいくつかの実施形態は、エアロゾル収集チャンバ３１０−ｅの内部に設けられた固体材料の１つ以上のメッシュ４４０−ｋ、４４０−１を備えてよい。メッシュ４４０は、エアロゾルとバルク液相における材料との間のコンタクトの領域を増加するために構成されてよく、エアロゾル及びバルク液相における材料が通される。システム４００−ｃのいくつかの実施形態は、バルク液相における材料を介する通路長を増加するために構成された、エアロゾル収集チャンバ３１０−ｅの内部に設けられた１つ以上のバッフル４４５−ｉ、４４５−ｊを備えてよい。システム４００−ｃのいくつかの実施形態は、エアロゾルとバルク液相における材料の間のコンタクトの領域を増加するために構成されてよく、エアロゾル及びバルク液相における材料が通過されるエアロゾル収集チャンバ３１０−ｅの内部の多数のバッフル４４５−ｉ、４４５−ｊの周囲に設けられた固体材料のメッシュ４４０−ｋ、４４０−１を備えてよい。
【０１１４】
ここで図４Ｄに移って、様々な実施形態に係る、エアロゾル捕捉のためのシステム４００−ｄが提供される。いくつかの実施形態においては、システム４００−ｄは、図３Ａのシステム３００−ａ、図３Ｂのシステム３００−ｂ、図３Ｃのシステム３００−ｃ、図４Ａのシステム４００−ａ、図４Ｂのシステム４００−ｂ及び／又は図４Ｃのシステム４００−ｃの側面の例であってよい。示される特定のコンポーネントは、単に例示されるために意図される。いくつかの実施形態は、必ずしも示されていない、用いられ得る、他のコンポーネントを備えてよい。これらの変形例のすべてではないが、いくつかは、下記に記載されてよい。
【０１１５】
システム４００−ｄは、エアロゾルの１つ以上のコンポーネントの少なくとも一部を収集するために、エアロゾル収集チャンバ４１０−ｆの内部に設けられてよい、バルク液相における材料を介してエアロゾルを通過するために構成されてよい、エアロゾル収集チャンバ３１０−ｆを備えてよい。収集されたエアロゾルコンポーネントは、いくつかのケースにおいて少なくとも液体炭化水素のコンポーネントを含んでよい。収集されたエアロゾルコンポーネントは、炭化水素化合物を含んでよい。
【０１１６】
システム４００−ｄのいくつかの実施形態においては、バルク液相における材料は、液体炭化水素を含んでよい。バルク液相における材料は、水を含んでよい。バルク液相における材料は、いくつかの実施形態においてエアロゾル収集チャンバ３１０−ｆにおいて温度制御されてよい。
【０１１７】
システム４００−ｄのいくつかの実施形態は、バルク液相における材料を介する通路長を増加するために、エアロゾル収集チャンバ３１０−ｆの内部に設けられた、１つ以上のオーガ４５０を備えてよい。システム４００−ｄは、エアロゾル収集チャンバ３１０−ｆへのエアロゾルの誘導を許可するために、エアロゾル収集チャンバ３１０−ｆと組み合わされ得る１つ以上のポート４４０−ｃを備えてよい。他の入力及び／又は出力ポート（不図示）は、また、図４Ａのシステム４００−ａ、図４Ｂのシステム４００−ｂ、及び／又は図４Ｃのシステム４００−ｃに関して記載されているように利用されてよい。
【０１１８】
ここで図４Ｅに移って、様々な実施形態に係る、エアロゾル捕捉のためのシステム４００−ｅが提供される。いくつかの実施形態においては、システム４００−ｅは、図３Ａのシステム３００−ａ、図３Ｂのシステム３００−ｂ、図３Ｃのシステム３００−ｃ、図４Ａのシステム４００−ａ、図４Ｂのシステム４００−ｂ、図４Ｃのシステム４００−ｃ及び／又は図４Ｄのシステム４００−ｄの側面の例であってよい。示される特定のコンポーネントは、単に例示されるために意図される。いくつかの実施形態は、必ずしも示されていない、用いられ得る、他のコンポーネントを備えてよい。これらの変形例のすべてではないが、いくつかは、下記に記載されてよい。
【０１１９】
システム４００−ｅは、エアロゾルの１つ以上のコンポーネントの少なくとも一部を収集するために、エアロゾル収集チャンバ３１０−ｇの内部に設けられてよい、バルク液相における材料を介してエアロゾルを通過するために構成されてよい、エアロゾル収集チャンバ３１０−ｇを備えてよい。収集されたエアロゾルコンポーネントは、いくつかのケースにおいて少なくとも液体炭化水素のコンポーネントを含んでよい。収集されたエアロゾルコンポーネントは、炭化水素化合物を含んでよい。
【０１２０】
システム４００−ｅのいくつかの実施形態においては、バルク液相における材料は、液体炭化水素を含んでよい。バルク液相における材料は、水を含んでよい。バルク液相における材料は、いくつかのケースにおいて、エアロゾル収集チャンバ４１０−ｇにおいて温度制御されてよい。
【０１２１】
システム４００−ｅは、バルク液相における材料を介する通路長を増加するために、バルク液相における材料を含んでいるらせん構造４５５における、１つ以上のチューブの長さを含んでよい。システム４００−ｅは、エアロゾル収集チャンバ３１０−ｇへのエアロゾルの誘導を許可するために、エアロゾル収集チャンバ３１０−ｇと組み合わされ得る１つ以上のポート４４０−ｅを含んでよい。他の入力及び／又は出力ポート（不図示）は、また、図４Ａのシステム４００−ａ、図４Ｂのシステム４００−ｂ、及び／又は図４Ｃのシステム４００−ｃに関して記載されたように利用されてよい。
【０１２２】
図５Ａは、様々な実施形態に係る、液体炭化水素燃料製造又は炭化水素化学物質製造の方法５００−ａのフローチャートの外観を提供する。方法５００−ａは、例えば、図１のシステム１００−ａ、図１Ｂのシステム１００−ｂ、図１Ｃのシステム１００−ｃ、図１Ｄのシステム１００−ｄ、図１Ｅのシステム１００−ｅ、図２Ａのシステム２００−ａ、図２Ｂのシステム２００−ｄ、図３Ａのシステム３００−ａ、図３Ｂのシステム３００−ｂ、図３Ｃのシステム３００−ｃ、図４Ａのシステム４００−ａ、図４Ｂのシステム４００−ｂ、図４Ｃのシステム４００−ｃ、図４Ｄのシステム４００−ｄ、及び／又は、図４Ｅのシステム４００−ｅの側面を利用して実装されてよい。図５Ａにおいて、示されるステップの特定の選択、及びそれらが示される順番は、単に例示されるために意図される。発明の異なる実施形態に従って、あるステップが代替の順番において実行され、あるステップが省略され、及び、ある追加のステップが追加されることが可能である。これらの変形例のすべてではないが、いくつかは、下記に記載されてよい。いくつかの実施形態においては、製造方法５００−ａは、直接の製造として参照されてよい。
【０１２３】
ブロック５１０にて、炭素−酸素−水素（Ｃ−Ｏ−Ｈ）化合物、あるいはＣ−Ｏ−Ｈ化合物を含んでいる材料は、液体炭化水素燃料又は炭化水素化学物質の少なくともコンポーネントであってよい、少なくとも炭化水素化合物を発生又は生成するために、Ｃ−Ｏ−Ｈ化合物が無酸化反応を介して反応するように、少なくとも摂氏８００度の温度に加熱されてよい。いくつかのケースにおいては、液体炭化水素燃料は、摂氏２０度の温度のときに液体である。無酸化反応は、熱分解反応を含んでよい。無酸化反応は、含水熱分解反応を含んでよい。いくつかの実施形態は、液体炭化水素燃料を直接蒸留することを含んでよい。
【０１２４】
方法５００−ａのいくつかの実施形態において、無酸化反応を介して生成された炭化水素化合物は、少なくとも生成され又は冷めるときにおける、炭化水素化合物として、炭化水素エアロゾル形態を含む。いくつかの実施形態は、エアロゾル材料を収集するために、液相における材料を介して、炭化水素エアロゾル形態を通すことを含んでよい。液相における材料は、炭化水素燃料を含んでよい。液相における材料を介して炭化水素エアロゾルを通すことは、メッシュを介して炭化水素エアロゾルを通すことを含んでよい。いくつかのケースにおいては、炭化水素エアロゾルは、ナフタレンを含んでよい。
【０１２５】
方法５００−ａにおけるいくつかの実施形態において、無酸化反応は、炭化水素エアロゾルを発生してよい。いくつかの実施形態は、液体燃料を介して炭化水素エアロゾルを通すことを含んでよい。液体燃料に炭化水素エアロゾルを通すことは、メッシュを介して炭化水素エアロゾルを通すことを含んでよい。これは、炭化水素エアロゾルの泡のサイズを減少するのを促進してよい。いくつかのケースにおいては、炭化水素エアロゾルは、ナフタレンを含んでよい。
【０１２６】
方法５００−ａのいくつかの実施形態は、液体炭化水素燃料を少なくとも他の液体燃料と混合することを含んでよい。液体炭化水素燃料及び／又は他の液体燃料は、少なくとも、ガソリン、ディーゼル、又は航空燃料を含んでよいが、これらに限定されない。Ｃ−Ｏ−Ｈ化合物は、少なくともバイオマスを含んでよい。いくつかのケースにおいては、Ｃ−Ｏ−Ｈ化合物を含んでいる材料は、固体相内であってよい。
【０１２７】
方法５００−ａのいくつかの実施形態においては、Ｃ−Ｏ−Ｈ化合物は、異なる滞留時間を有してよい。例えば、いくつかの実施形態においては、滞留時間は、少なくとも、１秒、１０秒、１００秒、３００秒、及び／又は１０００秒であってよい。方法５００−ａのいくつかの実施形態においては、温度は、ブロック５１０において少なくとも摂氏９００度又は１１００度であってよい。
【０１２８】
方法５００−ａのいくつかの実施形態においては、液体炭化水素燃料は、少なくとも１６，０００ＢＴＵ／ｌｂ又は３７，０００ｋＪ／ｋｇのエネルギーコンテンツを有してよい。いくつかのケースにおいては、エネルギーコンテンツは、少なくとも２０，０００ＢＴＵ／ｌｂ又は４６，０００ｋＪ／ｋｇであってよい。
【０１２９】
方法５００−ａのいくつかの実施形態においては、Ｃ−Ｏ−Ｈ化合物又はＣ−Ｏ−Ｈ化合物を含んでいる材料は、少なくとも水と混合されたＣ−Ｏ−Ｈ化合物を含む。よって、Ｃ−Ｏ−Ｈ化合物は、いくつかのケースにおいて、少なくとも水と混合されてよい。Ｃ−Ｏ−Ｈ化合物又はＣ−Ｏ−Ｈ化合物を含んでいる材料を加熱することは、少なくとも液体エアロゾル状態又は蒸気状態にて炭化水素燃料を生成するために、元来のＣ−Ｏ−Ｈ化合物におけるいくつかの水と共に混合された水が、Ｃ−Ｏ−Ｈ化合物と反応することを含んでよい。方法５００−ａのいくつかの実施形態は、少なくとも液体エアロゾル状態又は蒸気状態にてであってよい、液体炭化水素燃料又は炭化水素化学物質を発生又は生成するために、元来のＣ−Ｏ−Ｈ化合物におけるいくつかの水と共に混合された水が、Ｃ−Ｏ−Ｈ化合物と反応する前に、水と混合されたＣ−Ｏ−Ｈ化合物を反応チャンバに送ることを含んでよい。
【０１３０】
方法５００−ａのいくつかの実施形態は、Ｃ−Ｏ−Ｈ化合物はいくつかのケースにおいて乾いていてよいが、湿ったＣ−Ｏ−Ｈ化合物を含むＣ−Ｏ−Ｈ化合物を用いてよい。Ｃ−Ｏ−Ｈ化合物を加熱することは、液体炭化水素燃料を生成するために、Ｃ−Ｏ−Ｈ化合物が有する湿ったＣ−Ｏ−Ｈ化合物の一部である水と反応することを含んでよい。方法５００−ａのいくつかの実施形態は、湿ったＣ−Ｏ−Ｈ化合物を加熱する前に、Ｃ−Ｏ−Ｈ化合物を反応チャンバに送ることを含んでよい。
【０１３１】
方法５００−ａのいくつかの実施形態においては、無酸化反応は、管状炉の内部で実行される。管状炉は、少なくとも高ニッケル合金金属を含み得る材料構成を含んでよい。いくつかの実施形態は、管状炉への及びを介して、Ｃ−Ｏ−Ｈ化合物を含んでいる材料の連続的な動作をもたらすために、オーガを用いることを含んでよい。Ｃ−Ｏ−Ｈ化合物を含んでいる材料は、いくつかのケースにおいて、固相内であってよい。オーガは、少なくとも高ニッケル合金金属を含み得る材料構成を含んでよい。
【０１３２】
方法５００−ａのいくつかの実施形態は、いくつかの実施形態が、単一で一様のブレードピッチを用いてよいが、多数のブレードの間の多数の異なるピッチを含むオーガを用いてよい。オーガは、少なくとも高ニッケル合金金属を含んでよい材料構成の、管状炉への及びを介して、Ｃ−Ｏ−Ｈ化合物を含んでいる材料の連続的な動作をもたらすために、少なくとも高ニッケル合金金属を含む材料構成を含んでよい。Ｃ−Ｏ−Ｈ化合物を含んでいる材料は、いくつかのケースにおいて固相内であってよい。
【０１３３】
図５Ｂは、様々な実施形態に係る、直接の液体炭化水素燃料製造又は炭化水素化学物質製造の方法５００−ｂのフローチャートの外観を提供する。方法５００−ｂは、例えば、図１のシステム１００−ａ、図１Ｂのシステム１００−ｂ、図１Ｃのシステム１００−ｃ、図１Ｄのシステム１００−ｄ、図１Ｅのシステム１００−ｅ、図２Ａのシステム２００−ａ、図２Ｂのシステム２００−ｄ、図３Ａのシステム３００−ａ、図３Ｂのシステム３００−ｂ、図３Ｃのシステム３００−ｃ、図４Ａのシステム４００−ａ、図４Ｂのシステム４００−ｂ、図４Ｃのシステム４００−ｃ、図４Ｄのシステム４００−ｄ、及び／又は、図４Ｅのシステム４００−ｅの側面を利用して実装されてよい。図５Ｂにおいて、示されるステップの特定の選択、及びそれらが示される順番は、単に例示されるために意図される。発明の異なる実施形態に従って、あるステップが代替の順番において実行され、あるステップが省略され、及び、ある追加のステップが追加されることが可能である。これらの変形例のすべてではないが、いくつかは、下記に記載されてよい。方法５００−ｂは、図５Ａの方法５００−ｂの例であってよい。
【０１３４】
ブロック５１０−ａにて、バイオマスは、少なくとも炭化水素エアロゾル又は炭化水素化学物質を生成するために、熱分解反応を介してバイオマスが反応するように、少なくとも摂氏８００度の温度に加熱されてよい。ブロック５２０にて、炭化水素エアロゾルは、エアロゾル材料を収集するために、液相における材料を介して通過されてよい。例えば、エアロゾルは、他の液体炭化水素燃料を生成するために、炭化水素燃料を介して発泡されてよい。いくつかのケースにおいて、メッシュは、エアロゾルが通過してよい、いくつかのケースにおいては、液相材料の内部に設けられてよい。
【０１３５】
図５Ｃは、様々な実施形態に係る、直接の液体炭化水素燃料製造又は炭化水素化学物質製造の方法５００−ｃのフローチャートの外観を提供する。方法５００−ｃは、例えば、図１のシステム１００−ａ、図１Ｂのシステム１００−ｂ、図１Ｃのシステム１００−ｃ、図１Ｄのシステム１００−ｄ、図１Ｅのシステム１００−ｅ、図２Ａのシステム２００−ａ、図２Ｂのシステム２００−ｄ、図３Ａのシステム３００−ａ、図３Ｂのシステム３００−ｂ、図３Ｃのシステム３００−ｃ、図４Ａのシステム４００−ａ、図４Ｂのシステム４００−ｂ、図４Ｃのシステム４００−ｃ、図４Ｄのシステム４００−ｄ、及び／又は、図４Ｅのシステム４００−ｅの側面を利用して実装されてよい。図５Ｃにおいて、示されるステップの特定の選択、及びそれらが示される順番は、単に例示されるために意図される。発明の異なる実施形態に従って、あるステップが代替の順番において実行され、あるステップが省略され、及び、ある追加のステップが追加されることが可能である。これらの変形例のすべてではないが、いくつかは、下記に記載されてよい。方法５００−ｃは、図５Ａの方法５００−ａの例であってよい。
【０１３６】
ブロック５０５にて、バイオマスは、湿ったバイオマスを生成するために、水と混合されてよい。ブロック５１５にて、湿ったバイオマスは、無酸化反応チャンバに送られてよい。ブロック５１０−ｂにて、少なくとも液体エアロゾル状態又は蒸気状態における炭化水素燃料を生成するために、元来のバイオマスにおける水と共に混合された水が、バイオマスと反応するように、湿ったバイオマスは加熱されてよい。ブロック５２５にて、炭化水素燃料は、液体エアロゾル状態又は蒸気状態から直接的に蒸留されてよい。例えば、炭化水素燃料は、いくつかのケースにおいては、１つ以上の触媒を介して動作しなくてよい。
【０１３７】
図５Ｄは、様々な実施形態に係る、液体炭化水素燃料製造又は炭化水素化学物質製造の方法５００−ｄのフローチャートの外観を提供する。方法５００−ｄは、例えば、図１Ａのシステム１００−ａ、図１Ｂのシステム１００−ｂ、図１Ｃのシステム１００−ｃ、図１Ｄのシステム１００−ｄ、図２Ａのシステム２００−ａ、図２Ｂのシステム２００−ｄ、図３Ａのシステム３００−ａ、図３Ｂのシステム３００−ｂ、図３Ｃのシステム３００−ｃ、図４Ａのシステム４００−ａ、図４Ｂのシステム４００−ｂ、図４Ｃのシステム４００−ｃ、図４Ｄのシステム４００−ｄ、及び／又は、図４Ｅのシステム４００−ｅの側面を利用して実装されてよい。図５Ｄにおいて、示されるステップの特定の選択、及びそれらが示される順番は、単に例示されるために意図される。発明の異なる実施形態に従って、あるステップが代替の順番において実行され、あるステップが省略され、及び、ある追加のステップが追加されることが可能である。これらの変形例のすべてではないが、いくつかは、下記に記載されてよい。方法５００−ｄは、図５Ａの方法５００−ａの側面の例であってよい。
【０１３８】
ブロック５１５−ａにて、オーガは、管状炉への及びを介して、少なくともバイオマス又は固形廃棄物の連続的な動作をもたらすために用いられてよい。ブロック５１０−ｃにて、少なくともバイオマス又は固形廃棄物は、少なくとも液体炭化水素燃料又は炭化水素化学物質であってよい、少なくとも炭化水素化合物を生成するために、少なくともバイオマス又は固形廃棄物が熱分解反応を介して反応するように、少なくとも摂氏８００度の温度に、管状炉において加熱されてよい（いくつかの実施形態は、少なくとも摂氏９００度又は少なくとも摂氏１１００度の温度を用いてよい）。いくつかのケースにおいては、液体炭化水素燃料は、摂氏２０度の温度のときに液体であってよい。ブロック５２０−ａにて、生成された炭化水素化合物は、生成された炭化水素化合物のいくつかのエアロゾルを捕捉するために、液体を介して通過されてよい。
【０１３９】
方法５００−ｄのいくつかの実施形態においては、管状炉は、例えば高ニッケル合金鋼のような、少なくとも高ニッケル合金金属を含んでよい材料構成を含んでよい。バイオマスは、いくつかのケースにおいて、固相内であってよい。オーガは、例えば高ニッケル合金鋼のような、少なくとも高ニッケル合金金属を含み得る材料構成を含んでよい。オーガは、いくつかの実施形態が、単一で一様のブレードピッチを用いてよいが、多数のブレードの間の多数の異なるピッチを含んでよい。
【０１４０】
図５Ｅは、様々な実施形態に係る、液体炭化水素燃料製造又は炭化水素化学物質製造の方法５００−ｅのフローチャートの外観を提供する。方法５００−ｅは、例えば、図１Ａのシステム１００−ａ、図１Ｂのシステム１００−ｂ、図１Ｃのシステム１００−ｃ、図１Ｄのシステム１００−ｄ、図１Ｄのシステム１００−ｅ、図２Ａのシステム２００−ａ、図２Ｂのシステム２００−ｄ、図３Ａのシステム３００−ａ、図３Ｂのシステム３００−ｂ、図３Ｃのシステム３００−ｃ、図４Ａのシステム４００−ａ、図４Ｂのシステム４００−ｂ、図４Ｃのシステム４００−ｃ、図４Ｄのシステム４００−ｄ、及び／又は、図４Ｅのシステム４００−ｅの側面を利用して実装されてよい。図５Ｅにおいて、示されるステップの特定の選択、及びそれらが示される順番は、単に例示されるために意図される。発明の異なる実施形態に従って、あるステップが代替の順番において実行され、あるステップが省略され、及び、ある追加のステップが追加されることが可能である。これらの変形例のすべてではないが、いくつかは、下記に記載されてよい。方法５００−ｅは、図５Ａの方法５００−ａ及び／又は図５Ｅの方法５００−ｅの側面の例であってよい。
【０１４１】
ブロック５１５−ｂにて、オーガは、管状炉への及びを介して、バイオマスの連続的な動作をもたらすために用いられてよい。ブロック５１０−ｄにて、バイオマスは、少なくとも液体炭化水素燃料又は炭化水素化学物質であってよい、少なくとも炭化水素化合物を生成するために、少なくともバイオマスが熱分解反応を介して反応するように、少なくとも摂氏８００度の温度に、管状炉において加熱されてよい（いくつかの実施形態は、少なくとも摂氏９００度又は少なくとも摂氏１１００度の温度を用いてよい）。いくつかのケースにおいては、液体炭化水素燃料は、摂氏２０度の温度のときに液体であってよい。ブロック５２０−ｂにて、生成された炭化水素燃料は、液体溶媒チャンバ内に収集されてよい。ブロック５２４−ａにて、収集された液体炭化水素燃料は、蒸留されてよい。
【０１４２】
図５Ｆは、様々な実施形態に係る、液体炭化水素燃料製造又は炭化水素化学物質製造の方法５００−Ｆのフローチャートの外観を提供する。方法５００−ｇは、例えば、図１Ａのシステム１００−ａ、図１Ｂのシステム１００−ｂ、図１Ｃのシステム１００−ｃ、図１Ｄのシステム１００−ｄ、図２Ａのシステム２００−ａ、図２Ｂのシステム２００−ｄ、図３Ａのシステム３００−ａ、図３Ｂのシステム３００−ｂ、図３Ｃのシステム３００−ｃ、図４Ａのシステム４００−ａ、図４Ｂのシステム４００−ｂ、図４Ｃのシステム４００−ｃ、図４Ｄのシステム４００−ｄ、及び／又は、図４Ｅのシステム４００−ｅの側面を利用して実装されてよい。図５Ｆにおいて、示されるステップの特定の選択、及びそれらが示される順番は、単に例示されるために意図される。発明の異なる実施形態に従って、あるステップが代替の順番において実行され、あるステップが省略され、及び、ある追加のステップが追加されることが可能である。これらの変形例のすべてではないが、いくつかは、下記に記載されてよい。方法５００−ｆは、図５Ａの方法５００−ａの側面の例であってよい。
【０１４３】
ブロック５１０−ｅにて、バイオマスは、少なくとも液体炭化水素燃料又は炭化水素化学物質であってよい、少なくとも炭化水素化合物を生成するために、少なくともバイオマスが熱分解反応を介して反応するように、少なくとも摂氏８００度の温度に、管状炉において加熱されてよい（いくつかの実施形態は、少なくとも摂氏９００度又は少なくとも摂氏１１００度の温度を用いてよい）。いくつかのケースにおいては、液体炭化水素燃料は、摂氏２０度の温度のときに液体であってよい。ブロック５２０−ｃにて、生成された炭化水素燃料は、液体溶媒チャンバ内に収集されてよい。いくつかの実施形態は、ブロック５３０を含んでよく、電気及び／又は熱は、炭化水素及び／又は水素ガスを保持して用いて生成されてよい。いくつかの実施形態は、ブロック５３５を含んでよく、保持している炭化水素及び／又は水素ガスは、捕捉及び蓄積されてよい。
【０１４４】
図６Ａは、様々な実施形態に係る、エアロゾル捕捉の方法６００−ａのフローチャートの外観を提供する。方法６００−ａは、例えば、図１Ａのシステム１００−ａ、図１Ｂのシステム１００−ｂ、図１Ｃのシステム１００−ｃ、図１Ｄのシステム１００−ｃ、図１Ｅのシステム１００−ｅ、図２Ａのシステム２００−ａ、図２Ｂのシステム２００−ｄ、図３Ａのシステム３００−ａ、図３Ｂのシステム３００−ｂ、図３Ｃのシステム３００−ｃ、図４Ａのシステム４００−ａ、図４Ｂのシステム４００−ｂ、図４Ｃのシステム４００−ｃ、図４Ｄのシステム４００−ｄ、及び／又は、図４Ｅのシステム４００−ｅの側面を利用して実装されてよい。図６Ａにおいて、示されるステップの特定の選択、及びそれらが示される順番は、単に例示されるために意図される。発明の異なる実施形態に従って、あるステップが代替の順番において実行され、あるステップが省略され、及び、ある追加のステップが追加されることが可能である。これらの変形例のすべてではないが、いくつかは、下記に記載されてよい。
【０１４５】
ブロック６１０にて、エアロゾルは、エアロゾルの１つ以上のコンポーネントの少なくとも一部を捕捉するために、バルク液相における材料を介して通過されてよい。いくつかの実施形態において、捕捉されたエアロゾルコンポーネントは、炭化水素燃料を含んでよい、少なくとも液体炭化水素のコンポーネントを含んでよい。捕捉されたエアロゾルコンポーネントは、いくつかのケースにおいて、炭化水素化合物を含んでよい。
【０１４６】
方法６００−ａのいくつかの実施形態においては、バルク液相における材料は、液体炭化水素を含んでよい。バルク液相における材料は、いくつかのケースにおいて水を含んでよい。バルク液相における材料は、温度制御されてよい。
【０１４７】
バルク液相における材料は、らせんチューブ構成の内部に設けられてよい。バルク液相における材料は、オーガの内部に設けられてよい。
【０１４８】
方法６００−ａのいくつかの実施形態は、捕捉されたエアロゾルを蒸留することを含んでよい。バルク液相における材料は、蒸留された捕捉されたエアロゾルの全て又は一部で増加されてよい。
【０１４９】
方法６００−ａのいくつかの実施形態においては、バルク液相における材料を介してエアロゾルを通すことは、更に、バルク液相における材料の内部に設けられた固体材料のメッシュを介して、エアロゾルを通すことを含む。いくつかの実施形態においては、バルク液相における材料を介してエアロゾルを通すことは、更に、バルク液相における材料の内部に設けられた多数のバッフルに関連して、バルク液相における材料を介してエアロゾルを介することを含んでよい。バルク液相における材料を介してエアロゾルを通すことは、更に、バルク液相における材料の内部に設けられた多数のバッフルの周囲に設けられた固体材料のメッシュを介して、バルク液相における材料を介して、エアロゾルを通すことを含んでよい。
【０１５０】
方法６００−ａのいくつかの実施形態は、バルク液相における材料の残りに関して、水又は他の液体を除去することを含む。いくつかの実施形態において、水は、バルク液相における材料の残りと、混ざらなくてよい。いくつかの実施形態においては、水は、バルク液相における材料の残りから、重量測定で分離可能であり混ざらなくてよい。
【０１５１】
方法６００−ａのいくつかの実施形態は、エアロゾルを生成することを含んでよい。エアロゾルは、少なくとも、炭化水素化合物、又は、液体炭化水素のコンポーネントを含んでよい。少なくとも炭化水素化合物又は液体炭化水素のコンポーネントを含むエアロゾルは、バイオマスから生成されてよい。炭化水素化合物又は液体炭化水素のコンポーネントは、少なくとも炭化水素燃料又は炭化水素化学物質を含んでよい。
【０１５２】
図６Ｂは、様々な実施形態に係る、エアロゾル捕捉の方法６００−ｂのフローチャートの外観を提供する。方法６００−ｂは、例えば、図１Ａのシステム１００−ａ、図１Ｂのシステム１００−ｂ、図１Ｃのシステム１００−ｃ、図１Ｄのシステム１００−ｃ、図１Ｅのシステム１００−ｅ、図２Ａのシステム２００−ａ、図２Ｂのシステム２００−ｄ、図３Ａのシステム３００−ａ、図３Ｂのシステム３００−ｂ、図３Ｃのシステム３００−ｃ、図４Ａのシステム４００−ａ、図４Ｂのシステム４００−ｂ、図４Ｃのシステム４００−ｃ、図４Ｄのシステム４００−ｄ、及び／又は、図４Ｅのシステム４００−ｅの側面を利用して実装されてよい。図６Ｂにおいて、示されるステップの特定の選択、及びそれらが示される順番は、単に例示されるために意図される。発明の異なる実施形態に従って、あるステップが代替の順番において実行され、あるステップが省略され、及び、ある追加のステップが追加されることが可能である。これらの変形例のすべてではないが、いくつかは、下記に記載されてよい。方法６００−ｂは、図６Ａの６００−ａの側面の例であってよい。
【０１５３】
ブロック６０５にて、炭化水素エアロゾルは、生成されてよい。炭化水素エアロゾルは、バイオマスから生成されてよい。ブロック６１０−ａにて、炭化水素エアロゾルは、炭化水素エアロゾルの１つ以上のコンポーネントの少なくとも一部を収集するために、バルク液体炭化水素を介して通過されてよい。ブロック６１５にて、収集された炭化水素エアロゾルコンポーネントは、蒸留されてよい。いくつかのケースにおいて、バルク液体炭化水素は、ブロック６２０に示されるように、蒸留された収集された炭化水素エアロゾルコンポーネントの全部又は一部で増加されてよい。
【０１５４】
バルク液体炭化水素は、らせんチューブ構成の内部に設けられてよい。バルク液体炭化水素は、オーガの内部に設けられてよい。
【０１５５】
方法６００−ｂのいくつかの実施形態においては、バルク液体炭化水素を介して炭化水素エアロゾルを通すことは、更に、バルク液体炭化水素の内部に設けられている固体材料のメッシュを介して炭化水素エアロゾルを通すことを含む。いくつかの実施形態においては、バルク液体炭化水素を介して炭化水素エアロゾルを通すことは、更に、バルク液体炭化水素の内部に設けられた多数のバッフルに関して、バルク液体炭化水素を介して炭化水素エアロゾルを通すことを含んでよい。バルク液体炭化水素を介して炭化水素エアロゾルを通すことは、更に、バルク液体炭化水素の内部に設けられた多数のバッフルの周囲に設けられた固体材料のメッシュを介してバルク液体炭化水素を介して炭化水素エアロゾルを通すことを含んでよい。
【０１５６】
方法６００−ｂのいくつかの実施形態は、バルク液体炭化水素の残りに関して、水又は他の液体を除去することを含んでよい。いくつかの実施形態においては、水は、バルク液体炭化水素の残りと混ざらなくてよい。いくつかの実施形態においては、水は、バルク液体炭化水素の残りから、重量測定で分離可能であり混ざらなくてよい。
【０１５７】
１つ以上の実施形態の詳細な説明を以上に与えてきたが、異なる実施形態の趣旨に違うことなく、種々の代替物、改変物、及び均等物が、当業者には自明であろう。更に、明らかに不適切である場合を除いて又は特に明示的な断りのある場合を除いて、異なる実施形態の特徴、デバイス、及び／又は成分は、置換え及び／又は組合せを行い得ると見做されるべきである。従って、以上の説明は、添付の特許請求の範囲に規定され得る異なる実施形態の範囲を限定するものと見做されるべきではない。
【図１Ａ】
2020073677.tif 000002
【図１Ｂ】
2020073677.tif 000003
【図１Ｃ】
2020073677.tif 000004
【図１Ｄ】
2020073677.tif 000005
【図１Ｅ】
2020073677.tif 000006
【図２Ａ】
2020073677.tif 000007
【図２Ｂ】
2020073677.tif 000008
【図３Ａ】
2020073677.tif 000009
【図３Ｂ】
2020073677.tif 000010
【図３Ｃ】
2020073677.tif 000011
【図４Ａ】
2020073677.tif 000012
【図４Ｂ】
2020073677.tif 000013
【図４Ｃ】
2020073677.tif 000014
【図４Ｄ】
2020073677.tif 000015
【図４Ｅ】
2020073677.tif 000016
【図５Ａ】
2020073677.tif 000017
【図５Ｂ】
2020073677.tif 000018
【図５Ｃ】
2020073677.tif 000019
【図５Ｄ】
2020073677.tif 000020
【図５Ｅ】
2020073677.tif 000021
【図５Ｆ】
2020073677.tif 000022
【図６Ａ】
2020073677.tif 000023
【図６Ｂ】
2020073677.tif 000024
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
直接の液体炭化水素燃料又は炭化水素化学物質製造の方法であって、
少なくとも液体炭化水素燃料又は炭化水素化学物質のコンポーネントである、少なくとも炭化水素化合物を生成するために、炭素−酸素−水素（Ｃ−Ｏ−Ｈ）化合物が無酸化反応を介して反応するように、前記Ｃ−Ｏ−Ｈ化合物を少なくとも摂氏８００度の温度に加熱するステップ、を含む。
【手続補正２】
【補正対象書類名】明細書
【補正対象項目名】０１５７
【補正方法】変更
【補正の内容】
【０１５７】
１つ以上の実施形態の詳細な説明を以上に与えてきたが、異なる実施形態の趣旨に違うことなく、種々の代替物、改変物、及び均等物が、当業者には自明であろう。更に、明らかに不適切である場合を除いて又は特に明示的な断りのある場合を除いて、異なる実施形態の特徴、デバイス、及び／又は成分は、置換え及び／又は組合せを行い得ると見做されるべきである。従って、以上の説明は、添付の特許請求の範囲に規定され得る異なる実施形態の範囲を限定するものと見做されるべきではない。
（付記１）
直接の液体炭化水素燃料又は炭化水素化学物質製造の方法であって、
少なくとも液体炭化水素燃料又は炭化水素化学物質のコンポーネントである、少なくとも炭化水素化合物を生成するために、炭素−酸素−水素（Ｃ−Ｏ−Ｈ）化合物が無酸化反応を介して反応するように、前記Ｃ−Ｏ−Ｈ化合物を少なくとも摂氏８００度の温度に加熱するステップ、を含む。
（付記２）
付記１の方法であって、前記液体炭化水素燃料は、摂氏２０度の温度のときに液体である。
（付記３）
付記１の方法であって、前記無酸化反応は、熱分解反応を含む。
（付記４）
付記１の方法であって、前記無酸化反応は、含水熱分解反応を含む。
（付記５）
付記１の方法であって、前記液体炭化水素燃料を直接的に蒸留するステップを更に含む。
（付記６）
付記１の方法であって、前記無酸化反応を介して生成された前記炭化水素化合物は、前記炭化水素化合物が少なくとも生成され又は冷めるときにおける、炭化水素エアロゾル形態を含む。
（付記７）
付記６の方法であって、前記エアロゾル材料を収集するために、液相における材料を介して前記炭化水素エアロゾル形態を通すステップを更に含む。
（付記８）
付記７の方法であって、前記液相における前記材料は、炭化水素燃料を含む。
（付記９）
付記７の方法であって、前記液相における前記材料を介して前記炭化水素エアロゾル形態を通すステップは、メッシュを介して前記炭化水素エアロゾル形態を通すステップを含む。
（付記１０）
付記１の方法であって、前記無酸化反応は、更に、炭化水素エアロゾルを発生する。
（付記１１）
付記１０の方法であって、液体燃料を介して前記炭化水素エアロゾルを通すステップを更に含む。
（付記１２）
付記１１の方法であって、前記液体燃料を介して前記炭化水素エアロゾルを通すステップは、メッシュを介して前記炭化水素エアロゾルを通すステップを含む。
（付記１３）
付記１の方法であって、前記液体炭化水素燃料を少なくとも他の液体燃料と混合するステップを更に含む。
（付記１４）
付記１の方法であって、前記Ｃ−Ｏ−Ｈ化合物は、少なくともバイオマスを含む。
（付記１５）
付記１の方法であって、前記Ｃ−Ｏ−Ｈ化合物は、少なくとも１秒の滞留時間を有する。
（付記１６）
付記１の方法であって、前記無酸化反応は、管状炉の内部で行われる。
（付記１７）
付記１６の方法であって、前記管状炉は、少なくとも高ニッケル合金金属を含む材料構成を含む。
（付記１８）
付記１６の方法であって、前記管状炉への及びを介して、前記Ｃ−Ｏ−Ｈ化合物を含んでいる材料の連続的な動作をもたらすために、オーガを用いるステップであって、前記Ｃ−Ｏ−Ｈ化合物を含んでいる前記材料が固相内であるステップを更に含む。
（付記１９）
付記１の方法であって、前記温度は少なくとも摂氏１１００度である。
（付記２０）
付記１１の方法であって、前記液体燃料は、少なくとも、ガソリン、ディーゼル、又は航空燃料を含む。
（付記２１）
付記１の方法であって、前記液体炭化水素燃料は、少なくとも１６，０００ＢＴＵ／ｌｂ又は３７，０００ｋＪ／ｋｇのエネルギーコンテンツを有する。
（付記２２）
付記１の方法であって、前記Ｃ−Ｏ−Ｈ化合物は、少なくとも水と混合されるＣ−Ｏ−Ｈ化合物を含む。
（付記２３）
付記２２の方法であって、前記Ｃ−Ｏ−Ｈ化合物を加熱するステップは、少なくとも前記液体炭化水素燃料又は前記化学物質を生成するために、混合された水と共に前記Ｃ−Ｏ−Ｈ化合物におけるいくつかの水を、前記Ｃ−Ｏ−Ｈ化合物と反応させるステップを含む。
（付記２４）
付記１の方法であって、前記Ｃ−Ｏ−Ｈ化合物は、湿ったＣ−Ｏ−Ｈ化合物を含む。
（付記２５）
付記２４の方法であって、少なくとも前記液体炭化水素燃料又は前記炭化水素化学物質を生成するために、前記湿ったＣ−Ｏ−Ｈ化合物からの水を前記Ｃ−Ｏ−Ｈ化合物と反応させることを介して、前記湿ったＣ−Ｏ−Ｈ化合物を加熱するステップを更に含む。
（付記２６）
付記２５の方法であって、前記湿ったＣ−Ｏ−Ｈ化合物を加熱するステップの前に、前記湿ったＣ−Ｏ−Ｈ化合物を反応チャンバに送るステップを更に含む。
（付記２７）
付記１８の方法であって、前記オーガは、少なくとも高ニッケル合金金属を含む構成を備える。
（付記２８）
付記１８の方法であって、前記オーガは、少なくとも、複数のブレードの間の単一のピッチ、あるいは、前記複数のブレードの間の多数の異なるピッチを含む。
（付記２９）
付記１の方法であって、前記発生された炭化水素化合物を蒸留するステップを更に含む。
（付記３０）
付記１の方法であって、前記液体炭化水素燃料を少なくとも他の液体燃料と混合するステップを更に含む。
（付記３１）
液体炭化水素燃料又は炭化水素化学物質の直接の製造のためのシステムであって、
少なくとも前記液体炭化水素燃料又は前記炭化水素化学物質のコンポーネントである、少なくとも炭化水素化合物を生成するために、炭素−酸素−水素（Ｃ−Ｏ−Ｈ）化合物が無酸化反応を介して反応するように、前記Ｃ−Ｏ−Ｈ化合物を少なくとも摂氏８００度の温度に加熱するために構成された無酸化反応チャンバ、を備える。
（付記３２）
付記３１のシステムであって、前記無酸化反応は、熱分解反応を含む。
（付記３３）
付記３１のシステムであって、前記液体炭化水素燃料は、摂氏２０度の温度のときに液体である。
（付記３４）
付記３１のシステムであって、前記無酸化反応チャンバは、管状炉を備える。
（付記３５）
付記３４のシステムであって、前記管状炉は、少なくとも高ニッケル合金金属を含む材料構成を含む。
（付記３６）
付記３４のシステムであって、前記管状炉への及びを介して、前記Ｃ−Ｏ−Ｈ化合物を含んでいる材料の連続的な動作をもたらすために構成されたオーガ、を更に備える。
（付記３７）
付記３６のシステムであって、前記オーガは、少なくとも高ニッケル合金金属を含む材料構成を含む
（付記３８）
付記３６のシステムであって、前記オーガは、複数のブレードの間の多数の異なるピッチを含む。
（付記３９）
付記３６のシステムであって、前記オーガは、複数のブレードの間の単一のピッチを含む。
（付記４０）
付記３１のシステムであって、前記無酸化反応は、含水熱分解反応を含む。
（付記４１）
付記３１のシステムであって、前記無酸化反応によって生成された前記炭化水素化合物は、少なくとも生成又は冷めるときにおける、前記炭化水素化合物のエアロゾル形式を含む。
（付記４２）
付記４１のシステムであって、前記エアロゾル形式を収集するために、液体溶媒チャンバの内部に設けられた液相における材料を介して、前記生成された炭化水素化合物の前記エアロゾル形式が通過するように、前記無酸化反応チャンバと組み合わされた前記液体溶媒チャンバを更に備える。
（付記４３）
付記４２のシステムであって、液相における前記材料は、炭化水素燃料を含む。
（付記４４）
付記４３のシステムであって、前記液体溶媒チャンバの内部に設けられた前記液相における前記材料を介して、前記炭化水素化合物の前記エアロゾル形式を通すことが、また、メッシュを介して前記炭化水素化合物の前記エアロゾル形式を通すことを含むように、前記液体溶媒チャンバの内部に設けられた前記メッシュを更に備える。
（付記４５）
付記３１のシステムであって、前記生成された炭化水素化合物を蒸留するために構成された蒸留器を更に備える。
（付記４６）
付記３１のシステムであって、前記生成された液体炭化水素燃料を少なくとも他の液体燃料と混合するために構成された混合チャンバを更に備える。
（付記４７）
付記３１のシステムであって、前記Ｃ−Ｏ−Ｈ化合物は、少なくともバイオマスを含む。
（付記４８）
付記３１のシステムであって、前記Ｃ−Ｏ−Ｈ化合物は、少なくとも１秒の滞留時間を有する。
（付記４９）
付記４８のシステムであって、前記滞留時間は、少なくとも１０秒である。
（付記５０）
付記４９のシステムであって、前記滞留時間は、少なくとも１００秒である。
（付記５１）
付記５０のシステムであって、前記滞留時間は、少なくとも３００秒である。
（付記５２）
付記５１のシステムであって、前記滞留時間は、少なくとも１０００秒である。
（付記５３）
付記３１のシステムであって、前記温度は、少なくとも摂氏１１００度である。
（付記５４）
付記４６のシステムであって、前記他の液体燃料は、少なくとも、ガソリン、ディーゼル、あるいは、航空燃料を含む。
（付記５５）
付記３１のシステムであって、前記液体炭化水素燃料は、少なくとも、１６，０００ＢＴＵ／ｌｂ又は３７，０００ｋＪ／ｋｇのエネルギーコンテンツを有する。
（付記５６）
付記３１のシステムであって、前記Ｃ−Ｏ−Ｈ化合物は、少なくとも水と混合されたＣ−Ｏ−Ｈ化合物を含む。
（付記５７）
付記５６のシステムであって、前記Ｃ−Ｏ−Ｈ化合物を加熱するために構成された前記無酸化反応チャンバは、液体エアロゾル及び水蒸気の状態の一つ又は両方の炭化水素燃料を生成するために、混合された水と共に前記元来のＣ−Ｏ−Ｈ化合物におけるいくつかの水を前記Ｃ−Ｏ−Ｈ化合物と反応させるために構成される。
（付記５８）
付記５７のシステムであって、前記湿ったＣ−Ｏ−Ｈ化合物を加熱する前に、前記湿ったＣ−Ｏ−Ｈ化合物を前記無酸化反応チャンバに送るために構成されたコンベヤを更に備える。
（付記５９）
付記３１のシステムであって、前記無酸化反応は、更に炭化水素エアロゾルを発生する。
（付記６０）
付記５９のシステムであって、前記液体燃料チャンバの内部に設けられた液体燃料を介して前記炭化水素エアロゾルが通過するように、前記無酸化反応チャンバと組み合わされた液体燃料チャンバを更に備える。
（付記６１）
エアロゾル捕捉の方法であって、
１つ以上の前記エアロゾルのコンポーネントの少なくとも一部を収集するために、バルク液相における材料を介してエアロゾルを通すステップを含む。
（付記６２）
付記６１の方法であって、前記収集された前記１つ以上のエアロゾルコンポーネントの一部は、少なくとも、炭化水素化合物を含む。
（付記６３）
付記６１の方法であって、前記収集された前記１つ以上のエアロゾルコンポーネントの一部は、少なくとも、液体炭化水素のコンポーネントを含む。
（付記６４）
付記６１の方法であって、前記バルク液相における前記材料は、液体炭化水素を含む。
（付記６５）
付記６１の方法であって、前記バルク液相における前記材料は、水を含む。
（付記６６）
付記６１の方法であって、前記バルク液相における前記材料は、温度制御される。
（付記６７）
付記６１の方法であって、前記バルク液相における前記材料は、らせんチューブ構成の内部に設けられる。
（付記６８）
付記６１の方法であって、前記バルク液相における前記材料は、オーガの内部に設けられる。
（付記６９）
付記６１の方法であって、前記１つ以上の収集されたエアロゾルコンポーネントを蒸留するステップを更に含む。
（付記７０）
付記６９の方法であって、前記１つ以上の蒸留された収集されたエアロゾルコンポーネントの全部又は一部と一緒に、前記バルク液相における前記材料を増加させるステップを更に含む。
（付記７１）
付記６１の方法であって、前記バルク液相における前記材料を介して前記エアロゾルを通すステップは、前記バルク液相における前記材料の内部に設けられた固相のメッシュを介して前記エアロゾルを通すことを更に含む。
（付記７２）
付記６１の方法であって、前記バルク液相における前記材料を介して前記エアロゾルを通すステップは、前記液相における前記材料の内部に設けられた複数のバッフルに関して、前記バルク液相における前記材料を介して前記エアロゾルを通すことを更に含む。
（付記７３）
付記７２の方法であって、前記バルク液相における前記材料を介して前記エアロゾルを通すステップは、前記バルク液相における前記材料の内部に設けられた前記複数のバッフルの周囲に設けられた固相材料のメッシュを介して、前記バルク液相における前記材料を介して前記エアロゾルを通すステップを更に含む。
（付記７４）
付記６１の方法であって、前記バルク液相における前記材料の残りに関して、水を除去するステップを更に含む。
（付記７５）
付記７４の方法であって、前記バルク液相における前記材料の前記残りに関して、水を除去するステップを更に含み、前記水は、前記バルク液相における前記材料の前記残りと混ざらない。
（付記７６）
付記７４の方法であって、前記バルク液相における前記材料の前記残りに関して、水を除去するステップを更に含み、前記水は、前記バルク液相における前記材料の前記残りと混ざらずに、当該残りから重量測定で分離可能である。
（付記７７）
付記６１の方法であって、前記エアロゾルを生成するステップを更に備える。
（付記７８）
付記７７の方法であって、前記エアロゾルは、少なくとも、炭化水素化合物又は液体炭化水素のコンポーネントを含む。
（付記７９）
付記７８の方法であって、少なくとも前記炭化水素化合物を含んでいる前記エアロゾル、又は、前記炭化水素の前記コンポーネントは、バイオマスから生成される。
（付記８０）
付記６４の方法であって、前記液体炭化水素は、炭化水素燃料を含む。
（付記８１）
付記７８の方法であって、前記炭化水素化合物又は前記液体炭化水素の前記コンポーネントは、少なくとも炭化水素燃料を含む。
（付記８２）
付記７８の方法であって、前記炭化水素化合物又は前記液体炭化水素の前記コンポーネントは、少なくとも炭化水素化学物質を含む。
（付記８３）
エアロゾル捕捉のためのシステムであって、
１つ以上のエアロゾルのコンポーネントの少なくとも一部を収集するために、エアロゾル収集チャンバの内部に設けられたバルク液相における材料を介してエアロゾルを通すために構成された前記エアロゾル収集チャンバを備える。
（付記８４）
付記８３のシステムであって、前記１つ以上のエアロゾルコンポーネントの前記収集された一部は、少なくとも炭化水素化合物を含む。
（付記８５）
付記８３のシステムであって、前記１つ以上のエアロゾルコンポーネントの前記収集された一部は、少なくとも、液体炭化水素のコンポーネントを含む。
（付記８６）
付記８３のシステムであって、前記バルク液相における前記材料は、液体炭化水素を含む。
（付記８７）
付記８３のシステムであって、前記バルク液相における前記材料は、水を含む。
（付記８８）
付記８３のシステムであって、前記バルク液相における前記材料は、温度制御される。
（付記８９）
付記８３のシステムであって、前記バルク液相における前記材料を介する流路長を増加するために、前記バルク液相における前記材料を含んでいるらせん構成におけるチューブの１つ以上の長さを更に含む。
（付記９０）
付記８３のシステムであって、前記バルク液相における前記材料を介する流路長を増加するために、前記エアロゾル収集チャンバの内部に設けられた１つ以上のオーガを更に備える。
（付記９１）
付記８３のシステムであって、前記１つ以上のエアロゾルコンポーネントの前記収集された一部の全部又は一部を蒸留するために、前記エアロゾル収集チャンバと組み合わされた１つ以上の蒸留システムを更に備える。
（付記９２）
付記９１のシステムであって、前記１つ以上のエアロゾルコンポーネントの前記蒸留された収集された一部の全部又は一部と一緒に、前記バルク液相における前記材料を増加させるために、前記エアロゾル収集チャンバへの前記１つ以上の蒸留器の１つ以上を組み合わせるために構成された１つ以上のカプラーを更に備える。
（付記９３）
付記８３のシステムであって、前記エアロゾルと前記バルク液相における前記材料の間のコンタクトの前記領域を増加するために構成された、前記エアロゾル収集チャンバの内部に設けられた固体材料のメッシュであって、前記エアロゾル及び前記バルク液相における前記材料が通過されるものを更に備える。
（付記９４）
付記８３のシステムであって、前記バルク液相における前記材料を介する通路長を増加するために構成された、前記エアロゾル収集チャンバの内部に設けられた複数のバッフルを更に備える。
（付記９５）
付記９４のシステムであって、前記エアロゾル及び前記液相における前記材料の間のコンタクトの領域を増加するために構成され、前記エアロゾル及び前記液相における前記材料が通過される、前記エアロゾル収集チャンバの内部の複数のバッフルの周囲に設けられた固体材料のメッシュを更に備える。
（付記９６）
付記８３のシステムであって、前記収集チャンバからの水の除去を許可するために、前記エアロゾル収集チャンバと組み合わされた１つ以上のポートを更に備える。
（付記９７）
付記８３のシステムであって、前記エアロゾル収集チャンバから、前記１つ以上の収集されたエアロゾルコンポーネントの少なくとも一部の部分の除去を許可するために、前記エアロゾル収集チャンバと組み合わされた１つ以上のポートを更に備える。
（付記９８）
付記８３のシステムであって、前記エアロゾル収集チャンバと組み合わされた、１つ以上のエアロゾル生成チャンバを更に備える。
（付記９９）
付記９８のシステムであって、前記１つ以上のエアロゾル生成チャンバは、少なくとも炭化水素化合物又は液体炭化水素のコンポーネントを生成するエアロゾル生成チャンバを備える。
（付記１００）
付記９９のシステムであって、前記エアロゾルは、少なくとも前記炭化水素化合物又は前記液体炭化水素の前記コンポーネントを含んでおり、バイオマスから生成される。
（付記１０１）
付記９９のシステムであって、前記炭化水素化合物又は前記液体炭化水素の前記コンポーネントは、少なくとも炭化水素燃料を含む。
（付記１０２）
付記９９のシステムであって、前記炭化水素化合物又は液体炭化水素の前記コンポーネントは、少なくとも炭化水素化合物を含む。
【外国語明細書】
2020073677000001.pdf